(57)【要約】    【課題】  絶対時刻の知得を必要としない簡易なシステムで、同期化された長時間の映像再生を行なうことができるマルチ画面映像再生システムを提供する。    【解決手段】ネットワークとしてのＬＡＮ１０１と、前記ＬＡＮ１０１に接続され、表示装置Ｄ１〜Ｄ４のそれぞれ対応する表示装置に映像データを出力する複数の描画ユニットＲＵ１〜ＲＵ４と、前記ＬＡＮ１０１に接続され、前記複数の描画ユニットＲＵ１〜ＲＵ４に対し映像データを配信する機能を有するとともにタイミング情報を前記複数の描画ユニットＲＵ１〜ＲＵ４に対して一斉同報通信により配信する機能を有する映像配信サーバＶＳとを有する。【選択図】  図１
2005244931.tif 000002
【特許請求の範囲】
【請求項１】
ネットワークと、
前記ネットワークに接続され、複数の表示装置のそれぞれ対応する表示装置に映像デー
タを出力する複数の描画ユニットと、
前記ネットワークに接続され、前記複数の描画ユニットに対し映像データを配信する機
能を有するとともに前記複数の描画ユニットが前記対応する表示装置に同期化された映像
データを出力するためのタイミング情報を前記複数の描画ユニットに対して一斉同報通信
により配信する機能を有する映像配信サーバと、
を有することを特徴とするマルチ画面映像再生システム。
【請求項２】
請求項１に記載のマルチ画面映像再生システムにおいて、
前記映像配信サーバは、前記複数の描画ユニットに配信すべき映像データを生成する映
像データ生成部と、前記タイミング情報を生成するタイミング情報生成部と、前記映像デ
ータ生成部で生成された映像データまたは前記タイミング情報生成部で生成されたタイミ
ング情報を前記複数の描画ユニットに配信する送信部とを有し、
前記描画ユニットは、前記送信部により配信された映像データまたはタイミング情報を
受信する受信部と、前記受信部で受信された映像データが展開されるフレームバッファと
、前記受信部で受信されたタイミング情報に基づいて前記フレームバッファの制御を行う
出力制御部と、前記フレームバッファに展開された映像データを前記対応する表示装置に
出力する出力部とを有することを特徴とするマルチ画面映像再生システム。
【請求項３】
請求項１または２記載のマルチ画面映像再生システムにおいて、前記映像配信サーバは
、前記複数の描画ユニットに対し同じ映像データを一斉同報通信によって配信することを
特徴とするマルチ画面映像再生システム。
【請求項４】
請求項１または２記載のマルチ画面映像再生システムにおいて、前記映像配信サーバは
、前記複数の描画ユニットに対し、前記複数の描画ユニットに対応した映像データを個々
の描画ユニット宛に個別に配信することを特徴とするマルチ画面映像再生システム。
【請求項５】
請求項１から４のいずれかに記載のマルチ画面映像再生システムにおいて、前記映像配
信サーバは、前記タイミング情報を映像データのフレーム更新周期で前記複数の描画ユニ
ットに配信することを特徴とするマルチ画面映像再生システム。
【請求項６】
請求項１から４のいずれかに記載のマルチ画面映像再生システムにおいて、前記映像配
信サーバは、前記タイミング情報を映像データ中のすべてのフレームの表示タイミングご
とに前記複数の描画ユニットに配信することを特徴とするマルチ画面映像再生システム。
【請求項７】
請求項１から４のいずれかに記載のマルチ画面映像再生システムにおいて、前記映像配
信サーバは、前記タイミング情報を映像データ中の一部のフレームの表示タイミングごと
に前記複数の描画ユニットに配信することを特徴とするマルチ画面映像再生システム。
【請求項８】
請求項１から７のいずれかに記載のマルチ画面映像再生システムにおいて、
前記一斉同報通信が、ブロードキャスト通信であることを特徴とするマルチ画面映像再
生システム。
【請求項９】
請求項１から７のいずれかに記載のマルチ画面映像再生システムにおいて、
前記一斉同報通信が、マルチキャスト通信であることを特徴とするマルチ画面映像再生
システム。
【請求項１０】
請求項１から９のいずれかに記載のマルチ画面映像再生システムにおいて、
前記ネットワークが、ローカルエリアネットワークであることを特徴とするマルチ画面
映像再生システム。
【請求項１１】
請求項１から１０のいずれかに記載のマルチ画面映像再生システムにおいて、
前記ネットワークに用いる通信プロトコルが、ＴＣＰ／ＩＰであることを特徴とするマ
ルチ画面映像再生システム。
【請求項１２】
請求項２から１１のいずれかに記載のマルチ画面映像再生システムにおいて、
前記フレームバッファは、映像データの複数のフレームを記憶可能な領域を有するフレ
ームバッファからなることを特徴とするマルチ画面映像再生システム。
【請求項１３】
請求項１２に記載のマルチ画面映像再生システムにおいて、
前記映像データの複数のフレームを記憶可能な領域を有するフレームバッファは、ダブ
ルバッファリングを構成する互いに相補の関係にある２つのフレームバッファで構成され
ることを特徴とするマルチ画面映像再生システム。
【請求項１４】
請求項１から１３のいずれかに記載のマルチ画面映像再生システムにおいて、前記複数
の描画ユニットのうちのある描画ユニットが前記映像配信サーバの機能を有することを特
徴とするマルチ画面映像再生システム。
【請求項１５】
請求項１から１４のいずれかに記載のマルチ画面映像再生システムにおいて、
前記複数の表示装置は、マルチ画面ディスプレイを構成する複数の表示装置であって、
前記マルチ画面映像再生システムは、前記複数の表示装置のそれぞれに同期化された映像
データを出力するためのマルチ画面映像再生システムであることを特徴とするマルチ画面
映像再生システム。
【請求項１６】
ネットワークインタフェースを有し、前記ネットワークインタフェースを介して取得し
た映像データを複数の表示装置のそれぞれ対応する表示装置に出力する機能を有する複数
の描画ユニットと、
ネットワークインタフェースを有し、映像データを前記ネットワークインタフェースを
介して前記複数の描画ユニットに配信する機能を有するとともに前記複数の描画ユニット
が前記対応する表示装置に同期化された映像データを出力するためのタイミング情報を前
記ネットワークインタフェースを介して前記複数の描画ユニットに一斉同報通信により配
信する機能を有する映像配信サーバと、
を有することを特徴とするマルチ画面映像再生システム。
【請求項１７】
請求項１６に記載のマルチ画面映像再生システムにおいて、
前記複数の表示装置は、マルチ画面ディスプレイを構成する複数の表示装置であって、
前記マルチ画面映像再生システムは、前記複数の表示装置のそれぞれに同期化された映像
データを出力するためのマルチ画面映像再生システムであることを特徴とするマルチ画面
映像再生システム。
【請求項１８】
ネットワークと、
前記ネットワークに接続され、複数の表示装置のそれぞれ対応する表示装置に映像デー
タを出力する複数の描画ユニットと、
前記ネットワークに接続され、前記複数の描画ユニットに対し映像データを配信する映
像配信サーバと、
前記ネットワークに接続され、前記複数の描画ユニットが前記対応する表示装置に同期
化された映像データを出力するためのタイミング情報を前記複数の描画ユニットに対して
一斉同報通信により配信する機能を有するタイミングサーバと、
を有したことを特徴とするマルチ画面映像再生システム。
【請求項１９】
請求項１８に記載のマルチ画面映像再生システムにおいて、
前記タイミングサーバは、前記タイミング情報を生成するタイミング情報生成部と、前
記映像配信サーバに対する映像配信制御情報を生成する映像配信制御情報生成部と、これ
らタイミング情報または映像配信制御情報を出力する送信部とを有し、
前記映像配信サーバは、前記タイミングサーバの映像配信制御情報生成部によって生成
された映像配信制御情報に基づいて前記複数の描画ユニットへの映像配信を制御する映像
配信制御部と、この映像配信制御部の制御により、前記複数の描画ユニットに配信すべき
映像データを生成する映像データ生成部と、前記映像データ生成部で生成された映像デー
タを前記複数の描画ユニットに対して配信する送信部とを有し、
前記描画ユニットは、前記送信部から配信された映像データまたはタイミング情報を受
信する受信部と、この受信部で受信された映像データが展開されるフレームバッファと、
前記受信部で受信されたタイミング情報に基づいて前記フレームバッファの制御を行う出
力制御部と、前記フレームバッファに展開されている映像データを前記対応する表示装置
に出力する出力部とを有することを特徴とするマルチ画面映像再生システム。
【請求項２０】
請求項１８または１９に記載のマルチ画面映像再生システムにおいて、前記複数の描画
ユニットのうちのある描画ユニットが前記映像配信サーバとタイミングサーバのいずれか
または両方の機能を有することを特徴とするマルチ画面映像再生システム。
【請求項２１】
請求項１８から２０のいずれかに記載のマルチ画面映像再生システムにおいて、
前記複数の表示装置は、マルチ画面ディスプレイを構成する複数の表示装置であって、
前記マルチ画面映像再生システムは、前記複数の表示装置のそれぞれに同期化された映像
データを出力するためのマルチ画面映像再生システムであることを特徴とするマルチ画面
映像再生システム。
【請求項２２】
ネットワークインタフェースを有し、前記ネットワークインタフェースを介して取得し
た映像データを複数の表示装置のそれぞれ対応する表示装置に出力する機能を有する複数
の描画ユニットと、
ネットワークインタフェースを有し、映像データを前記ネットワークインタフェースを
介して前記複数の描画ユニットに配信する機能を有する映像配信サーバと、
ネットワークインタフェースを有し、前記複数の描画ユニットが前記対応する表示装置
に同期化された映像データを出力するためのタイミング情報を前記ネットワークインタフ
ェースを介して前記複数の描画ユニットに対して一斉同報通信により配信する機能を有す
るタイミングサーバと、
を有することを特徴とするマルチ画面映像再生システム。
【請求項２３】
請求項２２に記載のマルチ画面映像再生システムにおいて、
前記複数の表示装置は、マルチ画面ディスプレイを構成する複数の表示装置であって、
前記マルチ画面映像再生システムは、前記複数の表示装置のそれぞれに同期化された映像
データを出力するためのマルチ画面映像再生システムであることを特徴とするマルチ画面
映像再生システム。
【請求項２４】
複数の表示装置のそれぞれ対応する表示装置に映像データを出力する複数の描画ユニッ
トと、前記複数の描画ユニットに対し映像データを配信する機能を有するとともに前記複
数の描画ユニットが前記対応する表示装置に同期化された映像データを出力するためのタ
イミング情報を前記複数の描画ユニットに対して一斉同報通信により配信する機能を有す
る映像配信サーバとを備え、前記複数の表示装置のそれぞれに同期化された映像データを
出力するためのマルチ画面映像再生システムにおける映像再生方法であって、
前記映像配信サーバは、前記複数の描画ユニットに対し映像データを配信するステップ
と、前記映像データの配信後の所定のタイミングで前記タイミング情報を前記複数の描画
ユニットに対して一斉同報通信により配信するステップとを有し、
前記複数の描画ユニットは、前記映像配信サーバから配信された映像データを受信した
のち、前記映像配信サーバから配信されたタイミング情報を受信すると、前記受信した映
像データを前記タイミング情報に基づいて前記対応する表示装置に出力するステップを有
することを特徴とするマルチ画面映像再生システムにおける映像再生方法。
【請求項２５】
請求項２４に記載のマルチ画面映像再生システムにおける映像再生方法において、
前記マルチ画面映像再生システムは、マルチ画面ディスプレイを構成する複数の表示装
置のそれぞれに同期化された映像データを出力するためのマルチ画面映像再生システムで
あることを特徴とするマルチ画面映像再生システムにおける映像再生方法。
【請求項２６】
複数の表示装置のそれぞれ対応する表示装置に映像データを出力する複数の描画ユニッ
トと、前記複数の描画ユニットに対し映像データを配信する機能を有する映像配信サーバ
と、前記複数の描画ユニットが前記対応する表示装置に同期化された映像データを出力す
るためのタイミング情報を前記複数の描画ユニットに対して一斉同報通信により配信する
機能を有するタイミングサーバとを備え、前記複数の表示装置のそれぞれに同期化された
映像データを出力するためのマルチ画面映像再生システムにおける映像再生方法であって
、
前記映像配信サーバは、前記複数の描画ユニットに対し映像データを配信するステップ
を有し、
前記タイミングサーバは、前記映像配信サーバによる映像データ配信後の所定のタイミ
ングで前記タイミング情報を前記複数の描画ユニットに対して一斉同報通信により配信す
るステップを有し、
前記複数の描画ユニットは、前記映像配信サーバから配信された映像データを受信した
のち、前記タイミングサーバから配信されたタイミング情報を受信すると、前記受信した
映像データを前記タイミング情報に基づいて前記対応する表示装置に出力するステップを
有することを特徴とするマルチ画面映像再生システムにおける映像再生方法。
【請求項２７】
請求項２６に記載のマルチ画面映像再生システムにおける映像再生方法において、
前記マルチ画面映像再生システムは、マルチ画面ディスプレイを構成する複数の表示装
置のそれぞれに同期化された映像データを出力するためのマルチ画面映像再生システムで
あることを特徴とするマルチ画面映像再生システムにおける映像再生方法。
【請求項２８】
複数の描画ユニットに対し映像データを配信する機能を有するとともに複数の描画ユニ
ットがそれぞれ対応する表示装置に同期化された映像データを出力するためのタイミング
情報を前記複数の描画ユニットに対して一斉同報通信により配信する機能を有することを
特徴とする映像配信サーバ。
【請求項２９】
請求項２８に記載の映像配信サーバにおいて、
前記映像配信サーバは、ネットワークと、前記ネットワークに接続され、複数の表示装
置のそれぞれ対応する表示装置に映像データを出力する複数の描画ユニットと、前記複数
の描画ユニットに対し映像データを配信する機能を有するとともに前記複数の描画ユニッ
トが前記対応する表示装置に同期化された映像データを出力するためのタイミング情報を
前記複数の描画ユニットに対して一斉同報通信により配信する機能を有する映像配信サー
バとを有するマルチ画面映像再生システムに用いられる映像配信サーバであることを特徴
とする映像配信サーバ。
【請求項３０】
映像配信サーバから配信される映像データを、前記映像配信サーバから配信されるタイ
ミング情報に基づいて、対応する表示装置に出力する機能を有することを特徴とする描画
ユニット。
【請求項３１】
請求項３０に記載の描画ユニットにおいて、
前記描画ユニットは、ネットワークと、前記ネットワークに接続され、複数の表示装置
のそれぞれ対応する表示装置に映像データを出力する複数の描画ユニットと、前記複数の
描画ユニットに対し映像データを配信する機能を有するとともに前記複数の描画ユニット
が前記対応する表示装置に同期化された映像データを出力するためのタイミング情報を前
記複数の描画ユニットに対して一斉同報通信により配信する機能を有する映像配信サーバ
とを有するマルチ画面映像再生システムに用いられる描画ユニットであることを特徴とす
る描画ユニット。
【請求項３２】
映像配信サーバから配信される映像データを、タイミングサーバから配信されるタイミ
ング情報に基づいて、対応する表示装置に出力する機能を有することを特徴とする描画ユ
ニット。
【請求項３３】
請求項３２に記載の描画ユニットにおいて、
前記描画ユニットは、ネットワークと、前記ネットワークに接続され、複数の表示装置
のそれぞれ対応する表示装置に映像データを出力する複数の描画ユニットと、前記ネット
ワークに接続され、前記複数の描画ユニットに対し映像データを配信する映像配信サーバ
と、前記ネットワークに接続され、前記複数の描画ユニットが前記対応する表示装置に同
期化された映像データを出力するためのタイミング情報を前記複数の描画ユニットに対し
て一斉同報通信により配信する機能を有するタイミングサーバとを有するマルチ画面映像
再生システムに用いられる描画ユニットであることを特徴とする描画ユニット。
【請求項３４】
複数の描画ユニットに対し前記複数の描画ユニットがそれぞれ対応する表示装置に同期
化された映像データを出力するためのタイミング情報を一斉同報通信により配信する機能
を有することを特徴とするタイミングサーバ。
【請求項３５】
請求項３４に記載のタイミングサーバにおいて、
前記タイミングサーバは、ネットワークと、前記ネットワークに接続され、複数の表示
装置のそれぞれ対応する表示装置に映像データを出力する複数の描画ユニットと、前記ネ
ットワークに接続され、前記複数の描画ユニットに対し映像データを配信する映像配信サ
ーバと、前記ネットワークに接続され、前記複数の描画ユニットが前記対応する表示装置
に同期化された映像データを出力するためのタイミング情報を前記複数の描画ユニットに
対して一斉同報通信により配信する機能を有するタイミングサーバとを有するマルチ画面
映像再生システムに用いられるタイミングサーバであることを特徴とするタイミングサー
バ。
【請求項３６】
映像配信サーバから配信される映像データを、前記映像配信サーバから配信されるタイ
ミング情報に基づいて、表示部に出力する機能を有する描画ユニットを備えたことを特徴
とする表示装置。
【請求項３７】
映像配信サーバから配信される映像データを、タイミングサーバから配信されるタイミ
ング情報に基づいて、表示部に出力する機能を有する描画ユニットを備えたことを特徴と
する表示装置。
【発明の詳細な説明】
【技術分野】
【０００１】
本発明は、大画面のマルチ画面ディスプレイ等における映像再生装置として好適なマル
チ画面映像再生システム、マルチ画面映像再生システムにおける映像再生方法、マルチ画
面映像再生システムに用いるタイミングサーバおよび描画ユニット、ならびにマルチ画面
ディスプレイを構成するための表示装置に関する。
【背景技術】
【０００２】
図２３は、マルチ画面ディスプレイを説明するために示す図である。このマルチ画面デ
ィスプレイＤは、図１７に示すように、モニタやプロジェクタ等の表示装置Ｄ１〜Ｄ４を
複数台組み合わせて１つの大画面を構成するようにしたディスプレイである。マルチ画面
映像再生システムは、このようなマルチ画面ディスプレイＤにおける各表示装置Ｄ１〜Ｄ
４のそれぞれに入力する映像信号を出力するための映像再生装置である。
【０００３】
このマルチ画面映像再生システムにおいては、従来より、大画面に対応する映像信号（
原映像に対応する映像信号（ビデオ信号））をスキャンコンバータを用いて各表示装置Ｄ
１〜Ｄ４に対応する各映像信号（各単位映像に対応する各映像信号（ビデオ信号））に変
換して、これら各ビデオ信号を各表示装置Ｄ１〜Ｄ４に入力するようにして、大画面表示
を実現している。
【０００４】
ところで、近年、映像信号のディジタル化が進んで、このようなマルチ画面映像再生シ
ステムにおいても、映像信号をディジタル信号の形式で取り扱いたいという要求が高まっ
ている。
【０００５】
しかしながら、このように映像信号をディジタル信号の形式で取り扱う場合には、スキ
ャンコンバータを用いる場合とは異なり、各表示装置Ｄ１〜Ｄ４間で自動的には映像信号
の同期が取れないため、映像信号の同期を取るための何らかの同期再生手段を設けること
が必要となる。
【０００６】
すなわち、このような同期再生手段を設けた場合には、各表示装置Ｄ１〜Ｄ４間で映像
信号の同期を取ることができるため、図２４（ａ）に示すように、各表示装置のそれぞれ
が表示する単位映像が正しいタイミングで再生されるようになり、画面全体として滑らか
で自然な映像を再生することができるのに対して、前記のような同期再生手段を設けない
場合には、各表示装置Ｄ１〜Ｄ４間で映像信号の同期を取るのが困難になるため、図２４
（ｂ）に示すように、各表示装置のそれぞれが表示する単位映像が正しいタイミングで再
生されなくなり、画面全体として滑らかで自然な映像を再生することができなくなるので
ある。
特許文献１および非特許文献１は、このように複数の映像表示の同期あるいは映像と音
声の同期を取るための同期再生手段を開示している。
【０００７】
図２５は、特許文献１に開示された同期再生手段を説明するために示す図である。特許
文献１に開示された同期再生手段は、この図２５に示すように、複数の映像信号等（スト
リーム）をインターネットを介して伝送する際に、図２５の（ａ）に示す送信側システム
から同図（ｂ）に示す受信側システムまでのネットワーク９の輻輳状況およびストリーム
１，２の圧縮・伸張に要する処理時間のばらつき等により生じる時間の変動を吸収するこ
とにより、各表示装置間で映像信号等の同期を取るようにしている。
【０００８】
すなわち、送信側システムでは、配信する複数のストリームに配信時の時刻コードを添
付してネットワークに送出する。受信側システムでは、複数のストリームを複数の受信装
置１１，１４でそれぞれ受信し、ストリームとして出力する。そして、出力された各スト
リームについて、受信側システムの絶対基準時刻の時刻コードと、ストリームに添付され
た配信時刻コードとの差を測定して、これら各ストリームの時刻コードの差が一定になる
ように各ストリームの出力の遅延を制御する。このようにして各表示装置間で映像信号等
の同期を取っている。
【０００９】
図２６は、非特許文献１に開示された同期再生手段を説明するために示す図である。非
特許文献１に開示された同期再生手段は、図２６に示すように、映像再生のタイミングを
生成するホストＰＣ（ｈｏｓｔＰＣ）と、各表示装置にそれぞれのビデオ信号（ｖｉｄｅ
ｏ１，ｖｉｄｅｏ２，ｖｉｄｅｏ３，・・・，ｖｉｄｅｏＮ）を出力する各クラスタＰＣ
（ＰＣ１，ＰＣ２，ＰＣ３，・・・，ＰＣＮ）とをＬＡＮ（Local Area Network）で接続
し、ホストＰＣから各ＰＣに対して同期信号としてのブロードキャストパケットを一斉に
配信することにより、各表示装置間で映像信号の同期を取るようにしている。その結果、
各表示装置間でのフレームずれを１フレーム未満に抑制することを可能にしている。
【００１０】
また、これら特許文献１、非特許文献１以外に各表示装置間で同期を取る技術に関する
ものとして特許文献２が挙げられる。
【００１１】
この特許文献２は、複数のメンバが複数の端末装置で配信サーバから共通の映像データ
を受信して再生するときに、各端末装置での受信時刻にずれが生じると、互いの端末装置
で視聴している場面がずれてそれぞれのメンバ間のコミュニケーションに不都合が生じる
ので、それを防止するために、複数の端末装置での映像再生の同期を確保するという技術
である。
【００１２】
この特許文献２は、まず、ネットワーク上に存在する時刻配信サーバにより、映像配信
サーバおよび各端末装置の時刻を統一する。次に、映像配信サーバが映像データならびに
配信時刻を示す情報を含むマルチキャストパケットを各端末装置に配信する。各端末装置
は、配信されてきたマルチキャストパケットを受信し、送信時刻と受信時刻の情報をどれ
か１つの端末装置に配信することで、一箇所に受信時間差情報を集める。そして、それら
の時刻の情報から最大送信遅延時間を算出し、その時間を基準として、各端末装置の再生
タイミング制御部が映像データの再生タイミングを調整することで同期を確保している。
【特許文献１】特開２００２−３６９１６３号公報
【特許文献２】特開２００３−２３５０２７号公報
【非特許文献１】工藤隆朗，高木康博、「三次元インタラクティブプロセッサによる動画表示」，三次元画像コンファレンス２００３講演論文集，三次元画像コンファレンス２００３実行委員会（２００３），ＰＰ１２５−１２８
【発明の開示】
【発明が解決しようとする課題】
【００１３】
しかしながら、特許文献１に開示された同期再生手段においては、送信側システムおよ
び受信側システムの両方で正確な時刻コードの生成が必要である。このため、送信側シス
テムおよび受信側システムの両方が絶対時刻を知っていることが必要である。従って、送
信側システムおよび受信側システムの両方が、極めて正確な内部時計を内蔵したり、ＧＰ
Ｓ（Global Positioning System）衛星から配信される時刻信号を受信するようにしたり
、ＮＴＰ（Network Time Protocol）に基づいて外部の時刻サーバとの通信をしたりする
必要がある。このため、システムが大掛かりとなり、取り扱いも煩雑で、コスト低減化が
容易ではないという問題があった。
【００１４】
また、非特許文献１に開示された同期再生手段においては、再生する映像データのすべ
てをフレームバッファとしてのメモリに展開しているため、大容量のメモリを必要とする
。一般にメモリは高価であり、数分の映像データであってもそれを全てメモリに展開する
のは非常に高コストになる。いわんや数時間にも及ぶ映画の映像データであればそれを全
てメモリに展開することは容易なことではない。
【００１５】
また、特許文献２に開示された同期再生方法においても上述の特許文献１と同様に、時
刻サーバとの通信をする必要があるため、システムが大掛かりとなり、取り扱いも煩雑で
、コスト低減化が容易ではないという問題があった。
【００１６】
そこで、本発明は、このような問題を解決するためになされたもので、絶対時刻の知得
を必要としない簡易なシステムで、容易に同期化された長時間の映像再生を行なうことが
できる、マルチ画面映像再生システムおよびこのようなマルチ画面映像再生システムにお
ける映像再生方法を提供することを目的とする。
【課題を解決するための手段】
【００１７】
（１）本発明のマルチ画面映像再生システムは、ネットワークと、前記ネットワークに
接続され、複数の表示装置のそれぞれ対応する表示装置に映像データを出力する複数の描
画ユニットと、前記ネットワークに接続され、前記複数の描画ユニットに対し映像データ
を配信する機能を有するとともに前記複数の描画ユニットが前記対応する表示装置に同期
化された映像データを出力するためのタイミング情報を前記複数の描画ユニットに対して
一斉同報通信により配信する機能を有する映像配信サーバとを有することを特徴とする。
【００１８】
このように、本発明のマルチ画面映像再生システムによれば、各描画ユニットに対し映
像を配信する機能を有するとともにタイミングサーバとしての機能を有する映像配信サー
バから、ネットワークを介して一斉同報通信によって各描画ユニットに対して映像データ
を配信し、その後、所定のタイミングでタイミング情報を配信することによって、各描画
ユニット側では映像配信サーバから配信された映像データを、同じく映像配信サーバから
配信されたタイミング情報に基づいて各表示装置に出力するようにしている。これによっ
て、配信側である映像配信サーバおよび受信側である各描画ユニットのいずれもが絶対時
刻の知得を行うことなく各表示装置での映像の同期再生が可能となる。このため、配信側
のタイミングサーバおよび受信側の各描画ユニットのいずれもが、極めて正確な内部時計
を内蔵したり、ＧＰＳ衛星から配信される時刻信号を受信するようにしたり、ＮＴＰに基
づいて外部の時刻サーバとの通信をしたりする必要がなくなり、取り扱いやコスト低減化
が容易な簡易なシステムで、同期化された映像再生を行なうことができるようになる。
【００１９】
また、本発明のマルチ画面映像再生システムによれば、表示すべき映像データは映像配
信サーバから配信されてくるので、各描画ユニットでは表示すべき映像データを全て記憶
するための映像データ記憶手段が不要となり、映像配信サーバからその都度配信されてく
る必要最小限（たとえば、フレーム単位）の映像データを一時的に保持するフレームバッ
ファで済み、かつ、長時間の映像データの表示が可能となる。
また、本発明のマルチ画面映像再生システムは、タイリングディスプレイのようなマル
チ画面ディスプレイ上で映像再生を行う場合に好適であることは勿論であるが、たとえば
、互いに離れた位置の複数のユーザがそれぞれのディスプレイを見ながら同じゲームを行
うというような場合にも適用できる。
【００２０】
（２）前記（１）に記載のマルチ画面映像再生システムにおいて、前記映像配信サーバ
は、前記複数の描画ユニットに配信すべき映像データを生成する映像データ生成部と、前
記タイミング情報を生成するタイミング情報生成部と、前記映像データ生成部で生成され
た映像データまたは前記タイミング情報生成部で生成されたタイミング情報を前記複数の
描画ユニットに配信する送信部とを有し、前記描画ユニットは、前記送信部により配信さ
れた映像データまたはタイミング情報を受信する受信部と、前記受信部で受信された映像
データが展開されるフレームバッファと、前記受信部で受信されたタイミング情報に基づ
いて前記フレームバッファの制御を行う出力制御部と、前記フレームバッファに展開され
た映像データを前記対応する表示装置に出力する出力部とを有することが好ましい。
【００２１】
このように構成することにより、前記（１）に記載のマルチ画面映像再生システムを容
易に実現することができる。なお、本発明のマルチ画面映像再生システムにおいて、映像
データをフレームバッファに「展開」するとは、映像配信サーバから配信された映像デー
タをそのままフレームバッファに記憶させることのほか、圧縮又は暗号化された映像デー
タを伸張又は復号化してフレームバッファに記憶させることも含む。
【００２２】
（３）前記（１）または（２）に記載のマルチ画面映像再生システムにおいて、前記映
像配信サーバは、前記複数の描画ユニットに対し同じ映像データを一斉同報通信によって
配信することが可能である。
これによって、複数の描画ユニットで同じ映像を表示するような場合に好適なマルチ画
面映像再生システムを提供することができる。なお、同じ映像データであっても、複数の
描画ユニットが自身の受け持つ領域を把握し、自身の受け持つ領域に対応する映像を部分
映像として出力可能とすることにより、複数の部分映像を統合した１つの大画面を構成す
るタイリングディスプレイに適用することができる。
【００２３】
（４）前記（１）または（２）に記載のマルチ画面映像再生システムにおいて、前記映
像配信サーバは、前記複数の描画ユニットに対し、前記複数の描画ユニットに対応した映
像データを個々の描画ユニット宛に個別に配信することも可能である。
これは、個々の描画ユニットで表示すべき映像データを個々の描画ユニット宛に個別に
配信する例である。これによって、たとえば、部分映像を複数の表示装置に出力すること
により、複数の部分映像を統合した１つの大画面を構成するタイリングディスプレイの実
現や、異なるカメラで撮影したそれぞれ異なる視点の映像を複数の表示装置で同期化して
再生するような場合にも適用する。なお、（４）の場合、映像配信サーバでは、複数の描
画ユニットに対応した映像データを個々の描画ユニット宛に個別に配信するので、個々の
描画ユニットでは映像の加工などの処理を行わなくても済むといった効果も得られる。
【００２４】
（５）前記（１）から（４）のいずれかに記載のマルチ画面映像再生システムにおいて
、前記映像配信サーバは、前記タイミング情報を映像データのフレーム更新周期で前記各
描画ユニットに配信することが好ましい。
【００２５】
このように、タイミング情報を映像データのフレーム更新周期で前記各描画ユニットに
配信することにより、それぞれのフレームごとに高精度に同期化された映像データを各描
画ユニットから出力させることができ、これにより、高精度な同期再生が可能となる。
【００２６】
（６）前記（１）から（４）のいずれかに記載のマルチ画面映像再生システムにおいて
、前記映像配信サーバは、前記タイミング情報を映像データ中のすべてのフレームの表示
タイミングごとに前記複数の描画ユニットに配信することも可能である。
これによって、フレーム更新周期の変動にも対応することができる。
【００２７】
（７）前記（１）から（４）のいずれかに記載のマルチ画面映像再生システムにおいて
、前記映像配信サーバは、前記タイミング情報を映像データ中の一部のフレームの表示タ
イミングごとに前記複数の描画ユニットに配信することも可能である。
これは、幾つかのフレームごとにタイミング情報を配信し、その間のタイミング情報は
、たとえば、描画ユニット側で設定するものであり、これによっても、複数の描画ユニッ
トは、それぞれが同期化した映像データを対応する表示装置に出力することができる。ま
た、これによれば、タイミング情報の配信回数を減らすことができ、ネットワークのトラ
フィックを軽減することができる。
【００２８】
（８）前記（１）から（７）のいずれかに記載のマルチ画面映像再生システムにおいて
、前記一斉同報通信が、ブロードキャスト通信であることが好ましい。
このように構成することにより、ネットワークに接続された各描画ユニットに対する一
斉同報通信を容易に実現することができる。
また、この場合には、マルチ画面ディスプレイを構成する表示装置の数を変更する場合
（マルチ画面映像再生システムを構成する描画ユニットの数を変更する場合）であっても
、一斉同報通信の仕組みを変更する必要がなく、拡張性に優れたマルチ画面映像再生シス
テムとなる。
【００２９】
（９）前記（１）から（７）に記載のマルチ画面映像再生システムにおいて、前記一斉
同報通信が、マルチキャスト通信であることも好ましい。
このように構成することによっても、ネットワークに接続された各描画ユニットに対し
て、容易に一斉同報通信を実現することができる。
なお、この場合にも、マルチ画面ディスプレイを構成する表示装置の数を変更する場合
（マルチ画面映像再生システムを構成する描画ユニットの数を変更する場合）であっても
、各描画ユニットのマルチキャスト通信に係るアドレスを適宜変更することにより、一斉
同報通信の仕組みを維持することができるようになり、前記（８）の場合と同様に、拡張
性に優れたマルチ画面映像再生システムとなる。
【００３０】
（１０）前記（１）から（８）のいずれかに記載のマルチ画面映像再生システムにおい
て、前記ネットワークが、ローカルエリアネットワークであることが好ましい。
このように構成することにより、パケット損失や各描画ユニットへのパケットの到着時
間のばらつきを容易に許容量以下にすることができるようになり、時間精度の高い一斉同
報通信を容易に実現することができる。このため、各表示装置間で精度の高い同期再生が
できるようになり、全体としてより滑らかで自然な映像を再生することができるようにな
る。
なお、マルチ画面ディスプレイを構成する各表示装置は近接した位置に配置されるのが
通常であるため、ネットワークとしては、ローカルエリアネットワークを用いることで十
分であり、必ずしもワイドエリアネットワークを用いる必要はない。
【００３１】
（１１）前記（１）から（９）に記載のマルチ画面映像再生システムにおいて、前記ネ
ットワークに用いる通信プロトコルが、ＴＣＰ／ＩＰであることが好ましい。
【００３２】
本発明のマルチ画面映像再生システムにおいては、通信プロトコルとして種々のプロト
コルを用いることができるが、前記のように、近年広く普及しているＴＣＰ／ＩＰプロト
コル（Transport Control Protocol／Internet Protocol）を用いることによって、安価
で確実なネットワークを容易に構成することができるようになる。
【００３３】
（１２）前記（２）から（１１）のいずれかに記載のマルチ画面映像再生システムにお
いて、前記フレームバッファは、映像データの複数のフレームを記憶可能な領域を有する
フレームバッファからなることが好ましい。
【００３４】
このように、映像データの複数のフレームを記憶可能な領域を有するフレームバッファ
を用いることにより、たとえば、前記フレームバッファが２つのフレームを記憶可能な領
域を有する場合、一方のフレームを記憶可能な領域においては、すでに読込・展開されて
いる当該フレームに係る映像データの各表示装置への出力を行い、他方のフレームを記憶
可能な領域においては、映像配信サーバからの次のフレームに係る映像データの読込・展
開を行う。そして、次のタイミングには、他方のフレームを記憶可能な領域においては、
すでに読込・展開されている次のフレームに係る映像データの各表示装置への出力を行い
、一方のフレームを記憶可能な領域においては、映像配信サーバからのさらに次フレーム
に係る映像データの読込・展開を行う。そして、この動作を繰り返すことにより、各描画
ユニットは、同期化された映像データを正しく各表示装置に出力できるようになる。
【００３５】
なお、前記説明においては、映像データの複数のフレームを記憶可能な領域を有するフ
レームバッファに１フレーム分ずつの映像データをバッファする場合について説明したが
、２フレーム分以上の映像データをバッファするようにしてもよい。この場合には、１フ
レーム以上の映像データをいわゆる先読みしておけるので、効率的なバッファリングを行
なうことが可能になる。
また、映像データの複数のフレームを記憶可能な領域を有するフレームバッファは、複
数のメモリで構成されたものであってもよいし、１つのＬＳＩ（Large Scale Integratio
n circuit）などで構成されたものであってもよい。
【００３６】
（１３）前記（１２）に記載のマルチ画面映像再生システムにおいて、前記映像データ
の複数のフレームを記憶可能な領域を有するフレームバッファは、ダブルバッファリング
を構成する２つのフレームバッファであることが好ましい。
これによって、（１２）に記載のフレームバッファを容易に実現することができる。
【００３７】
（１４）前記（１）から（１３）のいずれかに記載のマルチ画面映像再生システムにお
いて、前記複数の描画ユニットのうちのある描画ユニットが前記映像配信サーバの機能を
有することも可能である。
このように、ある描画ユニットが映像配信サーバの機能を持つことで、映像配信サーバ
を別個に用意する必要がなくなり、システムの簡素化が図れる。
【００３８】
（１５）前記（１）から（１４）のいずれかに記載のマルチ画面映像再生システムにお
いて、前記複数の表示装置は、マルチ画面ディスプレイを構成する複数の表示装置であっ
て、前記マルチ画面映像再生システムは、前記複数の表示装置のそれぞれに同期化された
映像データを出力するためのマルチ画面映像再生システムであることが好ましい。
これによって、タイリングディスプレイのようなマルチ画面ディスプレイ上での映像再
生を行う場合に好適なマルチ画面映像再生システムを実現することができる。
【００３９】
（１６）本発明のマルチ画面映像再生システムは、ネットワークインタフェースを有し
、前記ネットワークインタフェースを介して取得した映像データを複数の表示装置のそれ
ぞれ対応する表示装置に出力する機能を有する複数の描画ユニットと、ネットワークイン
タフェースを有し、映像データを前記ネットワークインタフェースを介して前記複数の描
画ユニットに配信する機能を有するとともに前記複数の描画ユニットが前記対応する表示
装置に同期化された映像データを出力するためのタイミング情報を前記ネットワークイン
タフェースを介して前記複数の描画ユニットに一斉同報通信により配信する機能を有する
映像配信サーバと有することを特徴とする。
【００４０】
この（１６）に記載のマルチ画面映像再生システムによれば、別途、ネットワークを準
備することによって、前記（１）に記載のマルチ画面映像再生システムを構成することが
でき、（１）に記載したマルチ画面映像再生システムと同様の効果が得られる。なお、こ
の（１６）に記載のマルチ画面映像再生システムにおいても、前記した（２）から（１４
）に記載のマルチ画面映像再生システムの場合と同様の特徴を有することが好ましい。
【００４１】
（１７）前記（１６）に記載のマルチ画面映像再生システムにおいて、前記複数の表示
装置は、マルチ画面ディスプレイを構成する複数の表示装置であって、前記マルチ画面映
像再生システムは、前記複数の表示装置のそれぞれに同期化された映像データを出力する
ためのマルチ画面映像再生システムであることを特徴とするマルチ画面映像再生システム
。
これによって、タイリングディスプレイのようなマルチ画面ディスプレイ上での映像再
生を行う場合に好適なマルチ画面映像再生システムを実現することができる。
【００４２】
（１８）本発明のマルチ画面映像再生システムは、ネットワークと、前記ネットワーク
に接続され、複数の表示装置のそれぞれ対応する表示装置に映像データを出力する複数の
描画ユニットと、前記ネットワークに接続され、前記複数の描画ユニットに対し映像デー
タを配信する映像配信サーバと、前記ネットワークに接続され、前記複数の描画ユニット
が前記対応する表示装置に同期化された映像データを出力するためのタイミング情報を前
記複数の描画ユニットに対して一斉同報通信により配信する機能を有するタイミングサー
バとを有したことを特徴とする。
【００４３】
これは、映像配信サーバからタイミングサーバの機能を分離し、タイミングサーバを独
立して設けるようにしたものである。このように、映像配信サーバとは別にタイミングサ
ーバを設けることによって、映像配信サーバの処理負荷を軽減できる。また、タイミング
サーバを複数の描画ユニットのいずれかが兼ねることも可能となり、構成の自由度が高く
なるといった効果も得られる。
なお、（１８）のマルチ画面映像再生システムにおいても、前記した（３）〜（１４）
に記載したマルチ画面映像再生システムの場合と同様の特徴を有することが好ましい。
【００４４】
（１９）前記（１８）のマルチ画面映像再生システムにおいて、前記タイミングサーバ
は、前記タイミング情報を生成するタイミング情報生成部と、前記映像配信サーバに対す
る映像配信制御情報を生成する映像配信制御情報生成部と、これらタイミング情報または
映像配信制御情報を出力する送信部とを有し、前記映像配信サーバは、前記タイミングサ
ーバの映像配信制御情報生成部によって生成された映像配信制御情報に基づいて前記複数
の描画ユニットへの映像配信を制御する映像配信制御部と、この映像配信制御部の制御に
より、前記複数の描画ユニットに配信すべき映像データを生成する映像データ生成部と、
前記映像データ生成部で生成された映像データを前記複数の描画ユニットに対して配信す
る送信部とを有し、前記描画ユニットは、前記送信部から配信された映像データまたはタ
イミング情報を受信する受信部と、この受信部で受信された映像データが展開されるフレ
ームバッファと、前記受信部で受信されたタイミング情報に基づいて前記フレームバッフ
ァの制御を行う出力制御部と、前記フレームバッファに展開されている映像データを前記
対応する表示装置に出力する出力部とを有することを特徴とする。
【００４５】
このように構成することにより、前記（１８）に記載のマルチ画面映像再生システムを
容易に実現することができる。また、映像配信サーバは、タイミングサーバからの映像配
信制御情報によって、各描画ユニットへの映像配信制御（配信すべき映像データの取得や
取得した映像データのパケット化、さらには、各描画ユニットへのパケット化された映像
データの配信など）を行う。このため、映像配信サーバ側ではこのような映像配信制御を
適切なタイミングで実行することができ、映像配信サーバ自身では、映像表示のタイミン
グを生成する必要がないので、これによっても映像配信サーバの処理負荷を軽減できる。
【００４６】
（２０）前記（１８）または（１９）に記載のマルチ画面映像再生システムにおいて、
前記複数の描画ユニットのうちのある描画ユニットが前記映像配信サーバとタイミングサ
ーバのいずれかまたは両方の機能を有することも可能である。
このように、ある描画ユニットが映像配信サーバとタイミングサーバの機能を持つこと
で、映像配信サーバとタイミングサーバを別個に用意する必要がなくなり、マルチ画面映
像再生システムの簡素化が図れる。
【００４７】
（２１）前記（１８）から（２０）のいずれかに記載のマルチ画面映像再生システムに
おいて、前記複数の表示装置は、マルチ画面ディスプレイを構成する複数の表示装置であ
って、前記マルチ画面映像再生システムは、前記複数の表示装置のそれぞれに同期化され
た映像データを出力するためのマルチ画面映像再生システムであることが好ましい。
これによって、タイリングディスプレイのようなマルチ画面ディスプレイ上での映像再
生を行う場合に好適なマルチ画面映像再生システムを実現することができる。
【００４８】
（２２）本発明のマルチ画面映像再生システムは、ネットワークインタフェースを有し
、前記ネットワークインタフェースを介して取得した映像データを複数の表示装置のそれ
ぞれ対応する表示装置に出力する機能を有する複数の描画ユニットと、ネットワークイン
タフェースを有し、映像データを前記ネットワークインタフェースを介して前記複数の描
画ユニットに配信する機能を有する映像配信サーバと、ネットワークインタフェースを有
し、前記複数の描画ユニットが前記対応する表示装置に同期化された映像データを出力す
るためのタイミング情報を前記ネットワークインタフェースを介して前記複数の描画ユニ
ットに対して一斉同報通信により配信する機能を有するタイミングサーバとを有すること
を特徴とする。
【００４９】
この（２２）に記載のマルチ画面映像再生システムによれば、別途、ネットワークを準
備することによって、前記（１８）に記載のマルチ画面映像再生システムを構成すること
ができ、前記（１８）に記載のマルチ画面映像再生システムと同様の効果が得られる。な
お、この（２２）に記載のマルチ画面映像再生システムにおいても、前記した（３）から
（１４）および（１９）、（２０）に記載のマルチ画面映像再生システムの場合と同様の
特徴を有することが好ましい。
【００５０】
（２３）前記（２２）に記載のマルチ画面映像再生システムにおいて、前記複数の表示
装置は、マルチ画面ディスプレイを構成する複数の表示装置であって、前記マルチ画面映
像再生システムは、前記複数の表示装置のそれぞれに同期化された映像データを出力する
ためのマルチ画面映像再生システムであることが好ましい。
これによって、タイリングディスプレイのようなマルチ画面ディスプレイ上での映像再
生を行う場合に好適なマルチ画面映像再生システムを実現することができる。
【００５１】
（２４）本発明のマルチ画面映像再生システムにおける映像再生方法は、複数の表示装
置のそれぞれ対応する表示装置に映像データを出力する複数の描画ユニットと、前記複数
の描画ユニットに対し映像データを配信する機能を有するとともに前記複数の描画ユニッ
トが前記対応する表示装置に同期化された映像データを出力するためのタイミング情報を
前記複数の描画ユニットに対して一斉同報通信により配信する機能を有する映像配信サー
バとを備え、前記複数の表示装置のそれぞれに同期化された映像データを出力するための
マルチ画面映像再生システムにおける映像再生方法であって、前記映像配信サーバは、前
記複数の描画ユニットに対し映像データを配信するステップと、前記映像データの配信後
の所定のタイミングで前記タイミング情報を前記複数の描画ユニットに対して一斉同報通
信により配信するステップとを有し、前記複数の描画ユニットは、前記映像配信サーバか
ら配信された映像データを受信したのち、前記映像配信サーバから配信されたタイミング
情報を受信すると、前記受信した映像データを前記タイミング情報に基づいて前記対応す
る表示装置に出力するステップを有することを特徴とする。
【００５２】
このマルチ画面映像再生システムにおける映像再生方法によれば、前記（１）に記載の
マルチ画面映像再生システムと同様の効果を得ることができる。
なお、本発明のマルチ画面映像再生システムにおける映像再生方法においても、前記し
た（２）から（１４）に記載したマルチ画面映像再生システムの特徴と同様の特徴を有す
ることが好ましい。
【００５３】
（２５）前記（２４）に記載のマルチ画面映像再生システムにおける映像再生方法にお
いて、前記マルチ画面映像再生システムは、マルチ画面ディスプレイを構成する複数の表
示装置のそれぞれに同期化された映像データを出力するためのマルチ画面映像再生システ
ムであることが好ましい。
これによって、タイリングディスプレイのようなマルチ画面ディスプレイ上での映像再
生を行うマルチ画面映像再生システムに好適なマルチ画面映像再生方法を実現することが
できる。
【００５４】
（２６）本発明のマルチ画面映像再生システムにおける映像再生方法は、ネットワーク
と、前記ネットワークに接続され、マルチ画面ディスプレイを構成する複数の表示装置の
それぞれ対応する表示装置に映像データを出力する複数の描画ユニットと、前記ネットワ
ークに接続され、前記複数の描画ユニットに対し映像データを配信する機能を有する映像
配信サーバと、前記複数の描画ユニットが前記対応する表示装置に同期化された映像デー
タを出力するためのタイミング情報を前記複数の描画ユニットに対して一斉同報通信によ
り配信する機能を有するタイミングサーバとを備え、前記複数の表示装置のそれぞれに同
期化された映像データを出力するためのマルチ画面映像再生システムにおける映像再生方
法であって、前記映像配信サーバは、前記複数の描画ユニットに対し映像データを配信す
るステップを有し、前記タイミングサーバは、前記映像配信サーバによる映像データ配信
後の所定のタイミングで前記タイミング情報を前記複数の描画ユニットに対して一斉同報
通信により配信するステップを有し、前記複数の描画ユニットは、前記映像配信サーバか
ら配信された映像データを受信したのち、前記タイミングサーバから配信されたタイミン
グ情報を受信すると、前記受信した映像データを前記タイミング情報に基づいて前記対応
する表示装置に出力するステップを有することを特徴としている。
【００５５】
このマルチ画面映像再生システムにおける映像再生方法によれば、前記（１８）に記載
のマルチ画面映像再生システムと同様の効果を得ることができる。
なお、本発明のマルチ画面映像再生システムにおける映像再生方法においても、前記し
た（１８）のマルチ画面映像再生システムに記載した特徴と同様の特徴を有することが好
ましい。さらに、前記（３）から（１４）および（１９）、（２０）のマルチ画面映像再
生システムに記載した特徴と同様の特徴を有することが好ましい。
【００５６】
（２７）前記（２６）に記載のマルチ画面映像再生システムにおける映像再生方法にお
いて、前記マルチ画面映像再生システムは、マルチ画面ディスプレイを構成する複数の表
示装置のそれぞれに同期化された映像データを出力するためのマルチ画面映像再生システ
ムであることが好ましい。
これによって、タイリングディスプレイのようなマルチ画面ディスプレイ上での映像再
生を行うマルチ画面映像再生システムに好適なマルチ画面映像再生方法を実現することが
できる。
【００５７】
（２８）本発明の映像配信サーバは、複数の描画ユニットに対し映像データを配信する
機能を有するとともに前記複数の描画ユニットが前記対応する表示装置に同期化された映
像データを出力するためのタイミング情報を前記複数の描画ユニットに対して一斉同報通
信により配信する機能を有することを特徴としている。
このような映像配信サーバを用いることによって、複数の描画ユニットに対して映像デ
ータとタイミング情報の配信が行え、それにより、複数の表示装置に同期化された映像デ
ータを出力することができ、前記複数の表示装置での映像の同期再生が可能となる。
【００５８】
（２９）前記（２８）に記載の映像配信サーバにおいて、前記映像配信サーバは、ネッ
トワークと、前記ネットワークに接続され、複数の表示装置のそれぞれ対応する表示装置
に映像データを出力する複数の描画ユニットと、前記複数の描画ユニットに対し映像デー
タを配信する機能を有するとともに前記複数の描画ユニットが前記対応する表示装置に同
期化された映像データを出力するためのタイミング情報を前記複数の描画ユニットに対し
て一斉同報通信により配信する機能を有する映像配信サーバとを有するマルチ画面映像再
生システムに用いられる映像配信サーバであることが好ましい。
これにより、前記（１）に記載のマルチ画面映像再生システムを構成することができる
。
【００５９】
（３０）本発明の描画ユニットは、映像配信サーバから配信される映像データを、前記
映像配信サーバから配信されるタイミング情報に基づいて前記対応する表示装置に出力す
る機能を有することを特徴としている。
このような描画ユニットを用いることによって、映像配信サーバから配信されてきた映
像データを前記映像配信サーバから配信されてきたタイミング情報に基づいて、対応する
表示装置に出力することができる。
【００６０】
（３１）前記（３０）に記載の描画ユニットにおいて、前記描画ユニットは、ネットワ
ークと、前記ネットワークに接続され、複数の表示装置のそれぞれ対応する表示装置に映
像データを出力する複数の描画ユニットと、前記複数の描画ユニットに対し映像データを
配信する機能を有するとともに前記複数の描画ユニットが前記対応する表示装置に同期化
された映像データを出力するためのタイミング情報を前記複数の描画ユニットに対して一
斉同報通信により配信する機能を有する映像配信サーバとを有するマルチ画面映像再生シ
ステムに用いられる描画ユニットであることが好ましい。
これにより、前記（１）に記載のマルチ画面映像再生システムを構成することができる
。
【００６１】
（３２）本発明の描画ユニットは、映像配信サーバから配信される映像データを、タイ
ミングサーバから配信されるタイミング情報に基づいて前記対応する表示装置に出力する
機能を有することを特徴としている。
このような描画ユニットを用いることによって、映像配信サーバから配信されてきた映
像データを前記タイミングサーバから配信されてきたタイミング情報に基づいて、対応す
る表示装置に出力することができる。
【００６２】
（３３）前記（３２）に記載の描画ユニットにおいて、前記描画ユニットは、ネットワ
ークと、前記ネットワークに接続され、複数の表示装置のそれぞれ対応する表示装置に映
像データを出力する複数の描画ユニットと、前記ネットワークに接続され、前記複数の描
画ユニットに対し映像データを配信する映像配信サーバと、前記ネットワークに接続され
、前記複数の描画ユニットが前記対応する表示装置に同期化された映像データを出力する
ためのタイミング情報を前記複数の描画ユニットに対して一斉同報通信により配信する機
能を有するタイミングサーバとを有するマルチ画面映像再生システムに用いられる描画ユ
ニットであることが好ましい。
これにより、前記（１８）に記載のマルチ画面映像再生システムを構成することができ
る。
【００６３】
（３４）本発明のタイミングサーバは、複数の描画ユニットに対し前記複数の描画ユニ
ットがそれぞれ対応する表示装置に同期化された映像データを出力するためのタイミング
情報を一斉同報通信により配信する機能を有することを特徴としている。
これにより、前記（１）に記載のマルチ画面映像再生システムを構成することが可能と
なる。
【００６４】
（３５）前記（３４）に記載の描画ユニットにおいて、前記タイミングサーバは、ネッ
トワークと、前記ネットワークに接続され、複数の表示装置のそれぞれ対応する表示装置
に映像データを出力する複数の描画ユニットと、前記ネットワークに接続され、前記複数
の描画ユニットに対し映像データを配信する映像配信サーバと、前記ネットワークに接続
され、前記複数の描画ユニットが前記対応する表示装置に同期化された映像データを出力
するためのタイミング情報を前記複数の描画ユニットに対して一斉同報通信により配信す
る機能を有するタイミングサーバとを有するマルチ画面映像再生システムに用いられるタ
イミングサーバであることが好ましい。
これにより、前記（１８）に記載のマルチ画面映像再生システムを構成することが可能
となる。
【００６５】
（３６）本発明の表示装置は、映像配信サーバから配信される映像データを、前記映像
配信サーバから配信されるタイミング情報に基づいて、表示部に出力する機能を有する描
画ユニットを備えたことを特徴とする。
このように、表示装置が描画ユニットの機能を備えることにより、描画ユニットを別体
として用意することなく、映像配信サーバからの映像データを表示装置で表示することが
できる。このような表示装置を用いることによって、（１）に記載のマルチ画面映像再生
システムを構成する場合、システムを簡素化することができる。
【００６６】
（３７）本発明の表示装置は、映像配信サーバから配信される映像データを、タイミン
グサーバから配信されるタイミング情報に基づいて、表示部に出力する機能を有する描画
ユニットを備えたことを特徴とする。
この場合も（３６）同様、描画ユニットを別体として用意することなく、映像配信サー
バからの映像データを表示装置で表示することができる。このような表示装置を用いるこ
とによって、（１８）に記載のマルチ画面映像再生システムを構成する場合、システムを
簡素化することができる。
【発明を実施するための最良の形態】
【００６７】
［実施形態１］
図１〜図７は、本発明の実施形態１に係るマルチ画面映像再生システムを説明する図で
ある。この実施形態１に係るマルチ画面映像再生システム１０は、図１に示すように、マ
ルチ画面ディスプレイを構成する複数の表示装置Ｄ１〜Ｄ４（本発明の実施形態では表示
装置はプロジェクタであるとする）に同期化された映像データを出力するための画像再生
装置である。
【００６８】
また、このマルチ画面映像再生システム１０によって出力される同期化された映像デー
タを投影するマルチ画面ディスプレイは、２行・２列（２×２）のマトリクス状に配置さ
れた４台の表示装置Ｄ１〜Ｄ４でなり、この表示装置Ｄ１〜Ｄ４のそれぞれがスクリーン
ＳＣＲ上に投影する単位映像（部分映像）を統合することにより、１つの大画面映像を再
生するようになっている。
【００６９】
なお、実施形態１の説明において用いる「フレーム」の意味には、通常の映像の「フレ
ーム」の他に、インタレース方式の映像における「フィールド」の意味をも含むものであ
る。これは他の実施形態においても同様である。
【００７０】
図１および図２はこの実施形態１におけるマルチ画面映像再生システム１０の構成を説
明するための図であり、図１および図２に示すように、ネットワークとしてのＬＡＮ（Lo
cal Area Network）１０１、このＬＡＮ１０１にネットワークインタフェース（図示せず
）により接続された映像配信サーバＶＳと、ＬＡＮ１０１にネットワークインタフェース
（図示せず）により接続された複数（本発明の実施形態では４台としている）の描画ユニ
ット
ＲＵ１〜ＲＵ４とを備えている。なお、これら映像配信サーバＶＳや描画ユニットＲＵ１
〜ＲＵ４は、専用装置として準備することができることは勿論、ネットワークインタフェ
ースを有するパーソナルコンピュータ（ＰＣ）で代用することができる。
【００７１】
また、このマルチ画面映像再生システム１０において用いられる映像配信サーバＶＳは
、たとえば、テレビジョンチューナ（TV・Tuner）、ビデオカメラ（Video Camera）、ビ
デオディスク（Video Disc）、インターネット（Internet）などの映像データ供給手段２
００から供給されるディジタル化された映像データをパケット化して全描画ユニットＲＵ
１〜ＲＵ４に対し、ブロードキャスト通信などの一斉同報通信により配信する機能を有す
る。なお、一斉同報通信としては、ブロードキャスト通信ではなくマルチキャスト通信の
採用も可能であるが、ここではブロードキャスト通信を用いるものとする。
【００７２】
また、この映像配信サーバＶＳはこの実施形態１においては、表示指示を表すタイミン
グ情報を表示指示パケットとして生成するタイミング情報生成部１１１、配信単位ごとの
データサイズの映像データを映像パケットとして生成する映像データ生成部（映像パケッ
ト生成部という）１１２、タイミング情報生成部１１１で生成された表示指示パケットま
たは映像パケット生成部１１２で生成された映像パケットをＬＡＮ１０１上に送出る送信
部１１３を有している。
【００７３】
また、この映像配信サーバＶＳには、ＬＡＮ１０１上において、「１９２．１６８．１
．１００」のＩＰアドレスが割り振られており、また、各描画ユニットＲＵ１〜ＲＵ４に
もそれぞれ、図１に示すようなＩＰアドレスが割り振られているものとする。
【００７４】
すなわち、描画ユニットＲＵ１には、「１９２．１６８．１．１０１」、描画ユニット
ＲＵ２には、「１９２．１６８．１．１０２」、描画ユニットＲＵ３には、「１９２．１
６８．１．１０３」、描画ユニットＲＵ４には、「１９２・１６８・１．１０４」で表さ
れるＩＰアドレスが割り振られている。これは、映像配信サーバＶＳと各描画ユニットＲ
Ｕ１〜ＲＵ４はすべて「１９２・１６８・１」というネットワークのグループに属してい
ることを表している。
【００７５】
この映像配信サーバＶＳは、各描画ユニットＲＵ１〜ＲＵ４とＬＡＮ１０１を介して接
続されており、このときのネットワークプロトコルはＴＣＰ／ＩＰであるものとする。ま
た、ＩＰのバージョン番号は４、すなわち、ＩＰｖ４として説明する。
【００７６】
また、ここで用いられるＬＡＮ１０１のネットワーク・トポロジは「閉じている」ネッ
トワークであるものとし、映像配信サーバＶＳと各描画ユニットＲＵ１〜ＲＵ４との間の
接続の階層の数には大きな差がない接続形態であるのが好ましい。これは、階層の数に大
きな差があると、一斉同報通信（ここではブロードキャスト通信）による表示指示パケッ
トの受信時刻のずれが各描画ユニットＲＵ１〜ＲＵ４間で大きくなる可能性があるためで
ある。
【００７７】
また、このＬＡＮ１０１は小規模で閉じられたネットワークを想定しているので、ＬＡ
Ｎ１０１上をパケットとして流れるデータが遅延したり紛失したりすることはほとんど考
慮しなくてもよい。
【００７８】
また、各描画ユニットＲＵ１〜ＲＵ４は、配信されてくる情報を受信する受信部１２１
、受信部１２１で受信された映像配信サーバＶＳからの映像パケットに格納されている映
像データを取得して取得した映像データを解析する映像デ−タ取得部１２２、同じく受信
部１２１で受信された映像配信サーバＶＳからの表示指示パケットに基づいて出力制御を
行う出力制御部１２３、映像デ−タ取得部１２２で取得された映像パケットに格納されて
いる映像データが展開されるフレームバッファ１２４、表示すべき映像データを対応する
表示装置（表示装置Ｄ１〜Ｄ４のいずれか）に出力する出力部１２５をそれぞれ有し、各
描画ユニットＲＵ１〜ＲＵ４のそれぞれの出力部１２５は、それぞれ対応する表示装置（
表示装置Ｄ１〜Ｄ４のいずれか）に接続されている。
【００７９】
なお、この描画ユニットＲＵ１〜ＲＵ４のそれぞれのフレームバッファ１２４は、映像
配信サーバＶＳから送られてくる映像パケットに格納された映像データを展開するための
記憶領域であり、この記録領域はＲＡＭ上か、ＰＣであれば、たとえば、ビデオカードの
ビデオメモリ上に確保されている。
【００８０】
また、このフレームバッファ１２４は、現在表示している映像データを展開するための
フレームバッファ（表示用フレームバッファ）と、次に表示される映像データを保持する
ためのフレームバッファ（先読み用のフレームバッファ）の２つが存在し、これらを先読
み込み用のフレームバッファと表示用のフレームバッファとして交互に用いるダブルバッ
ファリングを実現している。なお、先読み用のフレームバッファは１つでなく複数存在し
てもよい。
【００８１】
図３は、ダブルバッファリングを説明するために示す図であり、この図３に示すように
、フレームバッファ１２４として、ダブルバッファリングを構成する互いに相補の関係に
ある２つのフレームバッファＡ，Ｂを用いている。
【００８２】
この図３の動作を説明すると、まず、図３（ａ）に示すように、フレームバッファＡに
おいては、すでに展開されている当該フレームに係る映像データの、表示装置Ｄ１〜Ｄ４
のうちの対応する表示装置への出力動作の対象となり、フレームバッファＢにおいては、
映像配信サーバＶＳからの次のフレームに係る映像データの展開動作の対象となる。
【００８３】
続いて、図３（ｂ）に示すように、フレームバッファＢにおいては、すでに展開されて
いる次のフレームに係る映像データの、表示装置Ｄ１〜Ｄ４のうちの対応する表示装置へ
の出力動作の対象となり、フレームバッファＡにおいては、映像配信サーバＶＳから配信
されてくるさらに次のフレームに係る映像データの展開動作を行う。
【００８４】
なお、このフレームバッファ１２４は、上述したような互いに相補の関係にある複数の
フレームバッファからなるものであればよく、たとえば、リングバッファとしての機能を
有するように構成されたものであってもよい。また、映像データをフレームバッファ１２
４に「展開」するというのは、映像データをそのままフレームバッファ１２４に記憶させ
ることのほか、圧縮又は暗号化された映像データを伸張又は復号化してフレームバッファ
１２４に記憶させることも含む。
【００８５】
次に、この実施形態１の動作について説明する。
まず、何らかの表示されるべき映像データが映像データ供給手段２００から映像配信サ
ーバＶＳに入力される。これによって、映像配信サーバＶＳでは、映像パケット生成部１
１２によって、入力された映像データをパケット化した映像パケットを生成し、その映像
パケットを各描画ユニットＲＵ１〜ＲＵ４に対して、ブロードキャスト通信により送信部
１１３からＬＡＮ１０１上に送出する。このときのブロードキャスト通信のためのＩＰア
ドレスは、「１９２．１６８．１．２５５」である。
【００８６】
なお、一般的に用いられているネットワーク規格であるイーサネット（登録商標）では
、１パケットあたりの情報量の上限（ＭＴＵ：Maximum Transmission unit）は、ヘッダ
情報部を除いて１５００バイトまでと規定されているため、１つのフレームを展開するの
に必要な映像データの情報が１つの映像パケットに格納しきれない場合もある。したがっ
て、各描画ユニットＲＵ１〜ＲＵ４のそれぞれのフレームバッファ１２４への展開に必要
な映像データが各描画ユニットＲＵ１〜ＲＵ４側に揃うまで、複数回の映像パケット配信
がなされることがある。
【００８７】
上述したように、映像配信サーバＶＳの送信部１１３から映像パケットがブロードキャ
スト通信によりＬＡＮ１０１上に送出されると、各描画ユニットＲＵ１〜ＲＵ４は、配信
されてきた映像パケットを受信する。これによって、各描画ユニットＲＵ１〜ＲＵ４は、
それぞれの受信部１２１で全く同一の映像データを受信することができる。
【００８８】
このように、個々の描画ユニットＲＵ１〜ＲＵ４がその受信部１２１で映像パケットを
受信すると、その受信された映像パケットは映像デ−タ取得部１２２によってバッファリ
ングされ、圧縮形式の検出など映像データ処理に必要な情報を取得するためのパケット解
析がなされたのちに、その映像パケットに格納されている映像データがフレームバッファ
１２４に展開される。
【００８９】
ここで、マルチ画面ディスプレイを構成する２×２の４つの表示装置Ｄ１〜Ｄ４がそれ
ぞれ部分映像を表示することによって、これら部分映像を統合した１つの大画面を構成す
る図１７に示したようなタイリングディスプレイであるとすれば、各描画ユニットＲＵ１
〜ＲＵ４は、受信した映像パケットに格納された映像データから、自身が担当する表示領
域（たとえば、表示装置Ｄ１に接続された描画ユニットＲＵ１においては、２×２の統合
画面のうち左上の領域）のみに対応する映像データをフレームバッファ１２４に拡大して
展開する。なお、描画ユニットＲＵ１〜ＲＵ４がそれぞれ同じ映像データを出力して、そ
れぞれ対応する表示装置Ｄ１〜Ｄ４から同じ映像を表示させるものであってもよいことは
勿論である。
【００９０】
続いて、映像配信サーバＶＳでは、映像データのフレーム更新周期に合わせた表示周期
Ｔ（フレームレートが３０フレーム／秒であれば、約３３．３３３ミリ秒）のタイミング
で表示指示パケットをタイミング情報生成部１１１で生成し、その生成した表示指示パケ
ットをブロードキャスト通信で各描画ユニットＲＵ１〜ＲＵ４に配信する。
このように、この実施形態１では、映像配信サーバＶＳは映像を配信する機能の他に、
各描画ユニットＲＵ１〜ＲＵ４に対し、表示指示タイミングにしたがった同期信号として
の表示指示パケットを配信するタイミングサーバとしての機能をも有している。
【００９１】
各描画ユニットＲＵ１〜ＲＵ４は、映像配信サーバＶＳからの表示指示パケットを受信
部１２１で受信すると、その受信した表示指示パケットは出力制御部１２３に送られる。
この出力制御部１２３では、映像配信サーバＶＳからの表示指示パケットに基づいて、フ
レームバッファ１２４に対して表示すべき映像データの出力制御を行う。これによって、
各描画ユニットＲＵ１〜ＲＵ４では、それぞれのフレームバッファ１２４から同じタイミ
ングで映像データが読み出されて、読み出された映像データが対応する表示装置Ｄ１〜Ｄ
４に出力される。
【００９２】
なお、上述したように、マルチ画面ディスプレイを構成する２×２の４つの表示装置Ｄ
１〜Ｄ４がそれぞれ部分映像を表示することによって、これら部分映像を統合した１つの
大画面を構成するタイリングディスプレイであるとすれば、各描画ユニットＲＵ１〜ＲＵ
４は、受信した映像データから、自身が担当する表示領域（たとえば、表示装置Ｄ１に接
続された描画ユニットにおいては、２×２の統合画面のうち左上の領域）のみに対応する
映像データがそれぞれ同期した状態で対応する表示装置Ｄ１〜Ｄ４に出力される。
【００９３】
これによって、マルチ画面ディスプレイを構成する複数の表示装置Ｄ１〜Ｄ４からは同
期化されたそれぞれの部分映像が投影され、スクリーンＳＣＲ上には部分映像が統合され
た１つの大画面が表示される。
【００９４】
ところで、個々の描画ユニットＲＵ１〜ＲＵ４は、映像配信サーバＶＳからの表示指示
パケットを受信するまでの間に、次に表示すべき映像データをフレームバッファ１２４（
表示用のフレームバッファ）に展開できさえすればよいので、個々の描画ユニットＲＵ１
〜ＲＵ４が映像データの受信・展開に要する最大の時間ＴＬと表示周期Ｔの関係が、ＴＬ
≦Ｔを確保できていれば、各描画ユニットＲＵ１〜ＲＵ４間の性能差（処理速度差）をあ
る程度吸収することができる。
【００９５】
図４はこの実施形態１における映像配信サーバ側の処理の流れを図１の構成上で説明す
るもので、図５はそれをフローチャートとして示す図である。この映像配信サーバＶＳが
行う個々の処理についてはすでに説明したので、ここでは、全体的な処理の流れのみにつ
いて簡単に説明する。
【００９６】
まず、映像データ供給手段２００からのコンテンツ（映像データ）の読み出し・解析を
行い（図４における（ａ）、図５におけるステップＳ１）、この読み出し・解析された映
像データを前述したＭＴＵ以下のデータサイズに分割してパケット化し（図５におけるス
テップＳ２）、そのパケット化された映像データ（映像パケット）を全描画ユニットＲＵ
１〜ＲＵ４へブロードキャスト通信により配信する（図４における（ｂ）、図５における
ステップＳ３）。
【００９７】
そして、フレームとして展開（必要に応じて復号化も含む）可能な全情報の配信が終了
したか否かを判定し（図５におけるステップＳ４）、終了していなければ、ステップＳ１
に戻って、ステップＳ１以降の処理を行い、終了していれば、続く映像データの読み出し
を行うとともに、表示タイミング待ち状態に入る（図５におけるステップＳ５，Ｓ６）。
そして、表示を更新すべきタイミングになると（図５におけるステップＳ７）、表示指示
パケットを全描画ユニットＲＵ１〜ＲＵ４に配信する（図４における（ｃ）、図５におけ
るステップＳ８）。
【００９８】
この表示指示パケットが全描画ユニットＲＵ１〜ＲＵ４に配信されると、個々の描画ユ
ニットＲＵ１〜ＲＵ４では、フレームバッファ１２４に展開済みの映像データを、対応す
る表示装置Ｄ１〜Ｄ４に出力する（図４における（ｄ））。
【００９９】
図６は、実施形態１における描画ユニットＲＵ１〜ＲＵ４の処理の流れを説明するフロ
ーチャートであり、描画ユニットＲＵ１〜ＲＵ４が行う個々の処理についてはすでに説明
したので、この図６では全体的な処理の流れについてのみを簡単に説明する。まず、映像
パケットを受信すると（ステップＳ１１）、映像デ−タ取得部１２２では取得した映像パ
ケットをバッファリングし、圧縮形式の検出など映像データ処理に必要な情報を取得する
ためのパケット解析を行い（ステップＳ１２）、その映像パケットが展開（必要に応じて
復号化も含む）可能か否かを判定し（ステップＳ１３）、展開可能であれば、自身の受け
持つ表示領域のみをフレームバッファ１２４に展開する（ステップＳ１４）。なお、この
ステップＳ１４では、必要に応じて、復号化処理や拡大処理などを行う。
【０１００】
そして、映像配信サーバＶＳからの表示指示パケットの受信待ち状態に入り（ステップ
Ｓ１５）、映像配信サーバＶＳからの表示指示パケットを受信すると、出力制御部１２３
によって、フレームバッファ１２４に展開された映像データを出力部１２５から対応する
表示装置に出力する。たとえば、描画ユニットＲＵ１であれば表示装置Ｄ１、描画ユニッ
トＲＵ２であれば表示装置Ｄ２というように、それぞれの描画ユニットＲＵ１〜ＲＵ４か
ら対応する表示装置Ｄ１〜Ｄ４に出力される（ステップＳ１６）。
【０１０１】
図７は実施形態１に係るマルチ画面映像再生システムの動作を説明する図である。図７
には、映像配信サーバＶＳからの映像パケットおよび表示指示パケットの描画ユニットＲ
Ｕ１〜ＲＵ４に対する配信タイミングと、それに伴う描画ユニットＲＵ１〜ＲＵ４の動作
が示されている。
【０１０２】
この実施形態１に係るマルチ画面映像再生システム１０においては、映像配信サーバＶ
Ｓは、映像パケットの配信を行った後、所定のタイミングで表示指示パケットの配信を行
っている。なお、図７において、映像パケットの配信タイミングを白抜きの矢印で表し、
また、表示指示パケットの配信タイミングを灰色の矢印で表している。なお、白抜きの矢
印部分に記述されている「映像」は「映像パケット」を略したもので、その白抜きの矢印
が映像パケットの配信タイミングであることを示すものである。また、灰色の矢印部分に
記述されている「表示」は「表示指示パケット」を略したもので、その灰色の矢印が表示
指示パケットの配信タイミングであることを示すものである。
【０１０３】
また、前述したように、１フレーム分の画像が必ず１つのパケットとして送られるとは
限らないが、ここでは、便宜的に１つのフレームが１つのパケットとして送られるものと
して図示されている。これは、後の実施形態２，３の説明で用いられる図１１、図１６に
おいても同じである。
【０１０４】
この図７からもわかるように、映像配信サーバＶＳは、フレームＦ１の映像パケットを
各描画ユニットＲＵ１〜ＲＵ４に配信し、各描画ユニットＲＵ１〜ＲＵ４はその映像パケ
ットに格納されているフレームＦ１の映像データをフレームバッファ１２４に展開する。
続いて、映像配信サーバＶＳは表示指示パケットを所定のタイミングで各描画ユニットＲ
Ｕ１〜ＲＵ４に配信することで、各描画ユニットＲＵ１〜ＲＵ４はフレームバッファ１２
４に展開されているフレームＦ１の映像データをそれぞれ対応する表示装置Ｄ１〜Ｄ４に
出力する。
【０１０５】
続いて、映像配信サーバＶＳは、フレームＦ２の映像パケットを各描画ユニットＲＵ１
〜ＲＵ４に配信することで、各描画ユニットＲＵ１〜ＲＵ４はその映像パケットに格納さ
れているフレームＦ２の映像データをフレームバッファ１２４に展開する。そして、映像
配信サーバＶＳは、表示指示パケットを所定のタイミングで各描画ユニットＲＵ１〜ＲＵ
４に配信することで、各描画ユニットＲＵ１〜ＲＵ４はフレームバッファに展開されてい
るフレームＦ２の映像データを対応する表示装置Ｄ１〜Ｄ４に出力する。
この動作を繰り返すことにより、各描画ユニットＲＵ１〜ＲＵ４は、同期化された映像
データを各表示装置Ｄ１〜Ｄ４に出力できる。
【０１０６】
なお、図７は図１で示したような４つの表示装置Ｄ１〜Ｄ４によるタイリングディスプ
レイにおける表示動作例であり、Ｆ１，Ｆ２，・・・はタイリングディスプレイ全体に対
するそれぞれのフレームの映像データを表し、Ｆ１１，Ｆ１２，・・・は、描画ユニット
ＲＵ１が受け持つ領域に対応する第１番目のフレーム、第２番目のフレーム、・・・の映
像データを表し、Ｆ２１，Ｆ２２，・・・は、描画ユニットＲＵ２が受け持つ領域に対応
する第１番目のフレーム、第２番目のフレーム、・・・の映像データを表し、Ｆ３１，Ｆ
３２，・・・は、描画ユニットＲＵ３が受け持つ領域に対応する第１番目のフレーム、第
２番目のフレーム、・・・の映像データを表し、Ｆ４１，Ｆ４２，・・・は、描画ユニッ
トＲＵ４が受け持つ領域に対応する第１番目のフレーム、第２番目のフレーム、・・・の
映像データを表している。
【０１０７】
以上の説明から明らかなように、この実施形態１に係るマルチ画面映像再生システム１
０においては、映像配信サーバＶＳから各描画ユニットＲＵ１〜ＲＵ４に対し、同一の映
像パケットを一斉同報通信により配信する。そして、描画ユニットＲＵ１〜ＲＵ４は、配
信されてきた映像パケットに格納されている映像データをフレームバッファ１２４に（タ
イリングディスプレイであれば，各描画ユニットは自身が受け持つ表示領域に対応した映
像データとなるようフレーム中の特定部分の切り出しや拡大等の処理を行って）展開して
おき、その後、映像配信サーバＶＳから一斉同報通信によって配信される表示指示パケッ
トに基づいて、フレームバッファ１２４に展開しておいた映像データを対応する表示装置
Ｄ１〜Ｄ４に出力するようにしている。
【０１０８】
このように、実施形態１に係るマルチ画面映像再生システム１０によれば、映像配信サ
ーバＶＳから各描画ユニットＲＵ１〜ＲＵ４に対してＬＡＮ１０１を介して一斉に配信さ
れた表示指示パケットに基づいて、各描画ユニットＲＵ１〜ＲＵ４がそれぞれ対応する表
示装置Ｄ１〜Ｄ４に映像データを出力することができるので、配信側である映像配信サー
バＶＳおよび受信側である各描画ユニットＲＵ１〜ＲＵ４のいずれもが絶対時刻を知得す
る必要がなくなる。
【０１０９】
このため、配信側の映像配信サーバＶＳおよび受信側の各描画ユニットＲＵ１〜ＲＵ４
のいずれもが、極めて正確な内部時計を内蔵したり、ＧＰＳ衛星から配信される時刻信号
を受信するようにしたり、ＮＴＰに基づいて外部の時刻サーバとの通信をしたりする必要
がなくなり、取り扱いやコスト低減化が容易な簡易なシステムで、同期化された映像再生
を行なうことができるようになる。
【０１１０】
［実施形態２］
前述の実施形態１では、映像配信サーバＶＳから全描画ユニットＲＵ１〜ＲＵ４に対し
、同じ映像データをブロードキャスト通信（マルチキャスト通信でも可）による一斉同報
通信にて配信するようにしたが、この実施形態２では、個々の描画ユニットＲＵ１〜ＲＵ
４で表示すべき映像データを個々の描画ユニットＲＵ１〜ＲＵ４宛に個別に配信する例に
ついて説明する。
【０１１１】
すなわち、マルチ画面ディスプレイを構成する２×２の４つの表示装置Ｄ１〜Ｄ４がそ
れぞれ部分映像を表示することによって、これら部分映像を統合した１つの大画面を構成
する図１７に示したようなタイリングディスプレイである場合、各描画ユニットＲＵ１〜
ＲＵ４は、それぞれ対応する表示装置Ｄ１〜Ｄ４に対して、自分の受け持つ領域に対応す
る部分映像を出力するので、個々の描画ユニットＲＵ１〜ＲＵ４にはその描画ユニットが
受け持つ領域の部分映像データが個別に配信される。
【０１１２】
この実施形態２を実現するための全体的な構成図は図１と同じであり、また、映像配信
サーバＶＳ、描画ユニットＲＵ１〜ＲＵ４の構成も図２と同じである。この実施形態２に
ついて図８から図１１を参照しながら説明する。
【０１１３】
図８はこの実施形態２における映像配信サーバＶＳ側の処理の流れを図１の構成上で説
明するもので、図９はそれをフローチャートとして示す図である。この映像配信サーバＶ
Ｓが行う処理などについては実施形態１ですでに説明したので、ここでは、実施形態２に
係わる処理の流れのみについて簡単に説明する。
【０１１４】
まず、映像データ供給手段２００からのコンテンツ（映像データ）の読み出し・解析を
行い（図８における（ａ）、図９におけるステップＳ２１）、読み出し・解析された映像
データを各描画ユニットＲＵ１〜ＲＵ４が受け持つ表示領域ごとにパケット化する（ステ
ップＳ２２）。このとき、読み出し・解析された映像データを復号化して、それをそれぞ
れの描画ユニットＲＵ１〜ＲＵ４が受け持つ表示領域ごとに分割して、その分割したそれ
ぞれの表示領域ごとの映像データを再び符号化してパケット化するというように、復号化
および再符号化の処理を含む場合もある。
【０１１５】
続いて、それぞれの表示領域ごとのパケット化された映像データを、それぞれ対応する
描画ユニットＲＵ１〜ＲＵ４に配信する（図８における（ｂ）〜（ｅ）、図９におけるス
テップＳ２３）。
【０１１６】
そして、フレームとして展開（必要に応じて復号化を含む）可能な全情報の配信が終了
したか否かを判定し（図９におけるステップＳ２４）、終了していなければ、ステップＳ
１に戻って、ステップＳ１以降の処理を行い、終了していれば、続く映像データの読み出
しを行うとともに、表示指示タイミングとなるのを待つ状態に入る（図９におけるステッ
プＳ２５，Ｓ２６）。
【０１１７】
そして、表示指示タイミングになると（図９におけるステップＳ２７）、表示指示パケ
ットを生成して全描画ユニットＲＵ１〜ＲＵ４にブロードキャスト（マルチキャストでも
可）により配信する（図８における（ｆ）、図９におけるステップＳ２８）。この表示指
示パケットが全描画ユニットＲＵ１〜ＲＵ４に配信されると、個々の描画ユニットＲＵ１
〜ＲＵ４では、それぞれが受け持つ表示領域に対応する映像データを出力する（図８にお
ける（ｇ））。
【０１１８】
このように、実施形態２では、各描画ユニットＲＵ１〜ＲＵ４に対する映像パケットの
配信は、個々の描画ユニットＲＵ１〜ＲＵ４宛に個々の描画ユニットＲＵ１〜ＲＵ４が受
け持つ表示領域に対応する映像データをパケット化したものを配信するようにしている。
このため、映像パケットの配信は個々の描画ユニットＲＵ１〜ＲＵ４宛の通信（ユニキャ
スト通信）による配信を行う。また、表示指示パケットはブロードキャスト通信（マルチ
キャスト通信でも可）によって配信される。
【０１１９】
図１０は描画ユニットＲＵ１〜ＲＵ４の処理の流れを説明するフローチャートであり、
前述の実施形態１で用いた図６とほぼ同様であり、図１０のステップＳ３１〜Ｓ３６は図
６のステップＳ１１〜Ｓ１６に対応するものであるが、ステップＳ３４のみが図６のステ
ップＳ１４と異なる。すなわち、この実施形態２の場合、個々の描画ユニットＲＵ１〜Ｒ
Ｕ４宛にその描画ユニットが受け持つ表示領域に対応する映像データが配信されてくるの
で、それをフレームバッファ１２４に展開すればよい（復号処理を含む場合もある）。そ
れ以外は、図６と同様であるので、全体的な説明は省略する。
【０１２０】
図１１は実施形態２に係るマルチ画面映像再生システムの動作を説明する図である。図
１１には映像配信サーバＶＳからの映像パケットおよび表示指示パケットの描画ユニット
ＲＵ１〜ＲＵ４に対する配信タイミングと、それに伴う描画ユニットＲＵ１〜ＲＵ４の動
作が示されている。
図１１において、実施形態１の説明で用いた図７と同様、映像パケットの配信タイミン
グを白抜きの矢印で表し、また、表示指示パケットの配信タイミングを灰色の矢印で表し
ている。なお、白抜きの矢印部分に記述されている「映像」は「映像パケット」を略した
もので、その白抜きの矢印が映像パケットの配信タイミングであることを示すものである
。また、灰色の矢印部分に記述されている「表示」は「表示指示パケット」を略したもの
で、その灰色の矢印が表示指示パケットの配信タイミングであることを示すものである。
【０１２１】
この実施形態２の場合、すでに説明したように、映像配信サーバＶＳからは個々の描画
ユニットＲＵ１〜ＲＵ４宛にその描画ユニットが受け持つ表示領域に対応する映像データ
が格納された映像パケットが配信されてくるので、個々の描画ユニットＲＵ１〜ＲＵ４に
は、それぞれ異なった映像データがパケット化されて順次配信される。これによって、各
描画ユニットＲＵ１〜ＲＵ４は自身宛に配信されてきた映像パケットに格納されている映
像データを自身のフレームバッファ１２４に展開する。
【０１２２】
続いて、映像配信サーバＶＳは表示指示パケットを所定のタイミングで各描画ユニット
ＲＵ１〜ＲＵ４にブロードキャスト通信によって配信することで、各描画ユニットＲＵ１
〜ＲＵ４はフレームバッファ１２４に展開されているフレームＦ１の映像データを対応す
る表示装置Ｄ１〜Ｄ４に出力する。なお、この場合も、前述したように、１フレーム分の
画像が必ず１つのパケットとして送られるとは限らないが、この図１１では、便宜的に１
つのフレームが１つのパケットとして送られるものとして示されている。
この動作を繰り返すことにより、各描画ユニットＲＵ１〜ＲＵ４は、同期化された映像
データを各表示装置Ｄ１〜Ｄ４に出力できる。
【０１２３】
[実施形態３]
この実施形態３は実施形態１または実施形態２で説明した映像配信サーバＶＳからタイ
ミングサーバとしての機能を分離したものである。すなわち、前述の実施形態１または実
施形態２では、映像配信サーバＶＳがタイミングサーバの機能を有するものとして説明し
たが、この実施形態３では、タイミングサーバが映像配信サーバＶＳとは別個に存在する
構成となっている。なお、実施形態２の説明では映像配信サーバＶＳがタイミングサーバ
を兼ねるということは明記してないが、実施形態２の場合もマルチ画面映像再生システム
１０の構成としては実施形態１と同じであるので、映像配信サーバＶＳがタイミングサー
バの機能を有したものとなっている。
【０１２４】
図１２は実施形態３に係るマルチ画面映像再生システム１０の構成を説明する図である
。この図１２の構成は図１で示した構成に対し、映像配信サーバＶＳとは別にタイミング
サーバＴＳを設けた構成となっている点が異なり、その他は図１と同じであり、同一構成
要素には同一符号が付されている。なお、タイミングサーバＴＳは映像配信サーバＶＳや
描画ユニットＲＵ１〜ＲＵ４と同様に、ネットワークインタフェース（図示せず）を有し
ており、このネットワークインタフェースによってネットワーク（ＬＡＮ１０１）に接続
されている。
【０１２５】
図１３は図１２における映像配信サーバＶＳとタイミングサーバＴＳの構成を説明する
ものである。なお、描画ユニットＲＵ１〜ＲＵ４の構成は図２と同じである。
【０１２６】
この図１２および図１３からもわかるように、この実施形態３では、映像配信サーバＶ
Ｓとは別個にタイミングサーバＴＳを有しており、このタイミングサーバＴＳは、各描画
ユニットＲＵ１〜ＲＵ４間における表示の同期をとるための表示指示タイミング情報を生
成するタイミング情報生成部１３１、映像配信サーバＶＳが描画ユニットＲＵ１〜ＲＵ４
に映像配信を行う際の映像配信制御情報を生成する映像配信制御情報生成部１３２と、こ
れらを配信する送信部１３３を有している。
【０１２７】
一方、映像配信サーバＶＳは、図２で示した映像配信サーバＶＳと同様に、映像パケッ
ト生成部１１２を有しており、その他、この実施形態３の場合は、タイミングサーバＴＳ
の映像配信制御情報生成部１３２で生成された映像配信制御情報に基づいて、描画ユニッ
トＲＵ１〜ＲＵ４への映像配信制御を行う映像配信制御部１１４、映像パケットをネット
ワーク（ＬＡＮ１０１）上に送出する送信部として機能とタイミングサーバＴＳで生成さ
れた映像配信制御情報を受け取る受信部としての機能を有した送受信部１１５を有してい
る。
【０１２８】
このような映像配信サーバＶＳとタイミングサーバＴＳを有するこの実施形態３の動作
について説明する。
【０１２９】
図１４はこの実施形態３における映像配信サーバＶＳとタイミングサーバＴＳの処理の
流れを図１２の構成上で説明するもので、図１５はそれをフローチャートとして示す図で
ある。
【０１３０】
まず、タイミングサーバＴＳが映像配信サーバＶＳに対し、映像配信制御情報を映像配
信制御パケットとして配信する（図１４における（ａ）、図１５におけるステップＳ４１
）。これによって、映像配信サーバＶＳは、それまでの映像配信制御情報待ちの状態（ス
テップＳ５１）から、コンテンツ（映像データ）の読み出し・解析を行い（図１４におけ
る（ｂ）、図１５におけるステップＳ５２）、この読み出し・解析された映像データを前
述したＭＴＵ以下のデータサイズに分割してパケット化して（図１５におけるステップＳ
５３）、そのパケット化された映像データ（映像パケット）を全描画ユニットＲＵ１〜Ｒ
Ｕ４へブロードキャスト通信により配信する（図１４における（ｃ）、図１５におけるス
テップＳ５４）。
【０１３１】
そして、フレームとして展開（必要に応じて復号化を含む）可能な全情報の配信が終了
したか否かを判定し（図１５におけるステップＳ５５）、終了していなければ、ステップ
Ｓ５２に戻り、ステップＳ５２以降の処理を行い、終了していれば、続く映像データの読
み出しを行う（図１５におけるステップＳ５６）。
【０１３２】
一方、タイミングサーバＴＳ側では、映像配信制御情報配信（図１５におけるステップ
Ｓ４１）を行ったあと、表示指示タイミング生成を行い（図１５におけるステップＳ４２
）、生成された表示指示タイミングにしたがって表示指示パケット配信する（図１５にお
けるステップＳ４３）。
【０１３３】
以上の処理を繰り返し行う。また、各描画ユニットＲＵ１〜ＲＵ４は、実施形態１の説
明で用いた図６のフローチャートで示す処理の流れと同様の動作を行う。
【０１３４】
このように、実施形態３では、タイミングサーバＴＳを設け、このタイミングサーバＴ
Ｓは、映像配信制御を行うための映像配信制御パケットを映像配信サーバＶＳに配信する
とともに、表示の同期をとるための表示指示パケットを適切なタイミングで各描画ユニッ
トＲＵ１〜ＲＵ４に配信するようにしている。
【０１３５】
図１６は実施形態３に係るマルチ画面映像再生システムの動作を説明する図である。図
１６にはタイミングサーバＴＳからの映像配信サーバＶＳに対する映像配信制御パケット
の配信タイミングと、映像配信サーバの各描画ユニットＲＵ１〜ＲＵ４に対する映像パケ
ットの配信タイミングと、タイミングサーバＴＳからの描画ユニットＲＵ１〜ＲＵ４に対
する表示指示パケットの配信タイミングと、これら映像配信サーバからの映像パケットお
よびタイミングサーバＴＳからの表示指示パケットに基づく各描画ユニットＲＵ１〜ＲＵ
４の動作が示されている。
【０１３６】
この図１６において、タイミングサーバＴＳからの映像配信サーバＶＳに対する映像配
信制御パケットの配信タイミングをハッチングの施された矢印で表し、また、映像配信サ
ーバＶＳから各描画ユニットＲＵ１〜ＲＵ４への映像パケットの配信タイミングを白抜き
の矢印で表し、また、タイミングサーバＴＳから各描画ユニットＲＵ１〜ＲＵ４への表示
指示パケットの配信タイミングを灰色の矢印で表している。
【０１３７】
また、この図１６において、前述の実施形態１，２と同様、白抜きの矢印部分に記述さ
れている「映像」は「映像パケット」を略したもので、その白抜きの矢印が映像パケット
の配信タイミングであることを示すものである。また、灰色の矢印部分に記述されている
「表示」は「表示指示パケット」を略したもので、その灰色の矢印が表示指示パケットの
配信タイミングであることを示すものである。また、ハッチングの施された矢印部分に記
述されている「配信制御」は「映像配信制御パケット」を略したもので、そのハッチング
の施された矢印が映像配信制御パケットの配信タイミングであることを示すものである。
【０１３８】
この図１６の動作は実施形態１の説明で用いた図７とほぼ同じであるが、この図１６の
場合、タイミングサーバＴＳからの映像配信サーバＶＳに対する映像配信制御パケットの
配信タイミング（ハッチングが施された矢印で表す）に基づいて、図１５で示したステッ
プＳ５２以降の処理がなされることによって、映像配信サーバＶＳから映像パケットが各
描画ユニットＲＵ１〜ＲＵ４に配信される点と、表示指示パケット（灰色の矢印で表す）
がタイミングサーバＴＳから各描画ユニットＲＵ１〜ＲＵ４に対して出力される点が図７
と異なり、その他は図７と同じであるので、その動作説明は省略する。
【０１３９】
以上説明したように、実施形態３では、映像配信サーバＶＳとは別にタイミングサーバ
ＴＳを設け、このタイミングサーバＴＳによって映像配信サーバＶＳに対し映像配信制御
パケットを配信することで映像配信サーバＶＳの映像配信制御を行うとともに、各描画ユ
ニットＲＵ１〜ＲＵ４間における表示の同期をとるための表示指示パケットを所定のタイ
ミングで各描画ユニットＲＵ１〜ＲＵ４に一斉同報通信（ブロードキャスト通信など）で
配信するようにしている。
【０１４０】
このように、タイミングサーバＴＳが実施形態１や実施形態２で説明した映像配信サー
バＶＳの機能の一部を賄うことによって、映像配信サーバＶＳの処理負荷を軽減できる。
また、タイミングサーバＴＳを複数の描画ユニットＲＵ１〜ＲＵ４のいずれかが兼ねるこ
とも可能となり、構成の自由度が高くなるといった効果も得られる。
【０１４１】
なお、上述の説明では、実施形態１に適用した例を述べたが、この実施形態３は実施形
態２にも適用可能なことは勿論である。
【０１４２】
[実施形態４]
実施形態４は、前述の各実施形態に係るマルチ画面映像再生システム１０において、描
画ユニットＲＵ１〜ＲＵ４のうちのいずれかの描画ユニットが映像配信サーバＶＳとタイ
ミングサーバＴＳのいずれかまたは両方を兼ねるような構成としたものである。
このように、描画ユニットＲＵ１〜ＲＵ４のいずれかが映像配信サーバＶＳとタイミン
グサーバＴＳのいずれかまたは両方を兼ねるような構成としては、たとえば、実施形態１
および実施形態２に係るマルチ画面映像再生システム１０のように、映像配信サーバＶＳ
がタイミングサーバＴＳの機能を有するものであれば、複数の描画ユニットＲＵ１〜ＲＵ
４のうちのある描画ユニットが映像配信サーバＶＳの機能を有するような構成とする。
【０１４３】
また、実施形態３に係るマルチ画面映像再生システム１０のように、タイミングサーバ
ＴＳが映像配信サーバＶＳから分離して設けられる場合であれば、複数の描画ユニットＲ
Ｕ１〜ＲＵ４のうちのある１つ描画ユニットが映像配信サーバＶＳとタイミングサーバＴ
Ｓのいずれかまたは両方の機能を有するようにしてもよく、また、ある１つの描画ユニッ
トが映像配信サーバＶＳの機能を有し、他のある１つの描画ユニットがタイミングサーバ
の機能を有するというように、映像配信サーバＶＳとタイミングサーバＴＳとが別個の描
画ユニットを有するようにしてもよい。
【０１４４】
実施形態４では、実施形態１または実施形態２に係るマルチ画面映像再生システムを例
にとって説明する。すなわち、複数の描画ユニットＲＵ１〜ＲＵ４のうちのある１つの描
画ユニットがタイミングサーバＴＳの機能をも有する映像配信サーバＶＳを備えた場合に
ついて説明する。なお、実施形態４では映像配信サーバＶＳは描画ユニットＲＵ１に備え
られた例について説明する。
【０１４５】
図１７は実施形態４に係るマルチ画面映像再生システム１０の構成を説明する図である
。この図１７の構成は図１で示した構成に対し、描画ユニットＲＵ１が映像配信サーバＶ
Ｓとしての機能を備えた構成となっている点が異なり、その他は図１と同じであり、同一
構成要素には同一符号が付されている。なお、実施形態４では、描画ユニットＲＵ１に備
えられた映像配信サーバＶＳとしての機能を行う部分を映像配信サーバ部ＶＳ’と呼ぶこ
とにする。
【０１４６】
図１７からもわかるように、実施形態４においては、描画ユニットＲＵ１は、映像配信
サーバ部ＶＳ’と、実施形態１や実施形態２などで説明した描画ユニットとしての機能を
行う部分（これを描画部Ｒと呼ぶことにする）とを有した構成となっている。なお、表示
部Ｒは前述の各実施形態で説明した描画ユニットＲＵＩ〜ＲＵ４と同様の構成であり、受
信部１２１、映像データ取得部１２２、出力制御部１２３、フレームバッファ１２４、出
力部１２５を有している。
【０１４７】
図１８は図１７に示したマルチ画面映像再生システム１０おける描画ユニットＲＵ１〜
ＲＵ４の構成を説明するものである。なお、描画ユニットＲＵ１以外の描画ユニットＲＵ
２〜ＲＵ４の構成は図２と同じである。また、描画ユニットＲＵ１に設けられる映像配信
サーバ部ＶＳ’は、図２で示した映像配信サーバＶＳと同様に、タイミング情報生成部１
１１、映像データ（映像パケット）生成部１１２、送信部１１３を有した構成となってい
る。
【０１４８】
このように、描画ユニットＲＵ１に映像配信サーバ部ＶＳ’を備えた場合、映像配信サ
ーバ部ＶＳ’からの映像データおよび表示指示パケットは、映像配信サーバ部ＶＳ’の送
信部１１３から各描画ユニットに配信されるが、描画ユニットＲＵ１の場合は、その描画
部Ｒ１に、直接、映像データおよび表示指示パケットが送られ、他の描画ユニットＲＵ２
〜ＲＵ４には、ＬＡＮ１０１によって配信される。
【０１４９】
なお、映像配信サーバ部ＶＳ’からは、実施形態１と同様に、各描画ユニットＲＵＩ〜
ＲＵ４（ただし、描画ユニットＲＵ１は描画部Ｒ）に対して同じ映像データを配信するこ
とも可能であり、また、実施形態２のように各描画ユニットＲＵ１〜ＲＵ４（ただし、描
画ユニットＲＵ１は描画部Ｒ）に対してそれぞれ異なった映像データを配信することも可
能である。
【０１５０】
実施形態４に係るマルチ画面映像再生システム１０によれば、実施形態１および実施形
態２に係るマルチ画面映像再生システム１０と同様の効果が得られるほか、この実施形態
４では、ある１つの描画ユニットＲＵ１に映像配信サーバ部ＶＳ’を備えるようにしたの
で、映像配信サーバＶＳを別体で用意する必要がなくなり、マルチ画面映像再生システム
１０の構成を簡素することができる。
【０１５１】
なお、前述したように、タイミングサーバＴＳを映像配信サーバＶＳから分離させた場
合も、同様の考え方で、映像配信サーバＶＳの機能とタイミングサーバＴＳの機能をある
描画ユニットに持たせることも可能である。この場合、前述したように、タイミングサー
バＴＳの機能および映像配信サーバＶＳの機能を同じ描画ユニットに持たせることも可能
であり、映像配信サーバＶＳは描画ユニットＲＵ１に持たせ、タイミングサーバＴＳは描
画ユニットＲＵ２に持たせるというように、タイミングサーバＴＳの機能と映像配信サー
バＶＳの機能を別個の描画ユニットに持たせることも可能である。
【０１５２】
[実施形態５]
実施形態５に係るマルチ画面映像再生システム１０は、各表示装置Ｄ１〜Ｄ４が描画ユ
ニットＲＵ１〜ＲＵ４の機能を備えた例である。なお、実施形態５では、表示装置Ｄ１〜
Ｄ４に備えられた描画ユニットＲＵ１〜ＲＵ４の機能を有する部分を描画ユニット部ＲＵ
１’〜ＲＵ４’と呼ぶことにする。また、この実施形態５では、表示装置Ｄ１〜Ｄ４を含
めてマルチ画面映像再生システム１０とする。
【０１５３】
図１９は実施形態５に係るマルチ画面映像再生システム１０の構成を説明する図である
。この図１９の構成は図１で示した構成に対し、各表示装置Ｄ１〜Ｄ４が描画ユニット部
ＲＵ１’〜ＲＵ４’を備えた構成となっている点が異なり、その他は図１と同じであり、
同一構成要素には同一符号が付されている。すなわち、実施形態５のマルチ画面映像再生
システム１０では、表示装置Ｄ１は描画ユニット部ＲＵ１’を備え、表示装置Ｄ２は描画
ユニット部ＲＵ２’を備え、表示装置Ｄ３は描画ユニット部ＲＵ３’を備え、表示装置Ｄ
４は描画ユニット部ＲＵ４’を備えた構成となっている。
【０１５４】
図２０は図１９で示したマルチ画面映像再生システム１０の映像配信サーバＶＳと表示
装置Ｄ１〜Ｄ４の構成を説明する図である。図２０からもわかるように、映像配信サーバ
ＶＳは、図１と同様の構成である。また、各表示装置Ｄ１〜Ｄ４は、描画ユニット部ＲＵ
１’〜ＲＵ４’を有するとともに、描画ユニット部ＲＵ１’〜ＲＵ４’から与えられる映
像データを表示する機能を有する表示部（これをＤａ１〜Ｄａ４で表す）を有している。
なお、各描画ユニット部ＲＵ１’〜ＲＵ４’の構成は図２で示した描画ユニットＲＵ１〜
ＲＵ４と同じである。
【０１５５】
実施形態５に係るマルチ画面映像再生システム１０によれば、実施形態１から実施形態
３に係るマルチ画面映像再生システム１０と同様の効果が得られるほか、この実施形態５
では、表示装置Ｄ１〜Ｄ４に描画ユニット部ＲＵ１’〜ＲＵ４’を持たせるようにしたの
で、描画ユニットＲＵ１〜ＲＵ４を別体で用意する必要がなくなり、システムの簡素化を
図ることができる。
【０１５６】
なお、図１９および図２０に示す描画ユニット部ＲＵ１’〜ＲＵ４’は、実施形態１か
ら実施形態３に係るマルチ画面映像再生システム１０で説明した描画ユニットＲＵ１〜Ｒ
Ｕ４を用いた例であったが、実施形態４で示すように、描画ユニットＲＵ１〜ＲＵ４のう
ちのある１つの描画ユニットが映像配信サーバＶＳの機能を有するものであってもよい。
すなわち、図１９および図２０で示す描画ユニット部ＲＵ１’〜ＲＵ４’のいずれかが映
像配信サーバＶＳの機能を有するものであってもよい。
このように、いずれか１つの描画ユニット部ＲＵ１’〜ＲＵ４’が映像配信サーバＶＳ
の機能を有するものであれば、映像配信サーバＶＳを別体で用意する必要がなくなり、マ
ルチ画面映像再生システム１０の構成をより一層簡素化することができる。
【０１５７】
また、タイミングサーバＴＳが映像配信サーバＶＳと別体となっている場合も同様に、
図１９および図２０で示す描画ユニット部ＲＵ１’〜ＲＵ４’のいずれかが映像配信サー
バＶＳの機能およびタイミングサーバＴＳの機能のいずれかまたは両方を有するものであ
ってもよく、また、タイミングサーバＴＳの機能と映像配信サーバＶＳの機能を別個の描
画ユニットに持たせることも可能である。
【０１５８】
[実施形態６]
前述の各実施形態のマルチ画面映像再生システム１０においては、表示指示パケットは
、各フレーム単位、すなわち、映像データのフレーム更新周期ごとに表示指示パケットを
各描画ユニットＲＵ１〜ＲＵ４に配信するようにしたが、これに限られるものではなく、
たとえば、表示指示パケットは映像データ中の一部のフレームの表示タイミングごとに複
数の描画ユニットＲＵ１〜ＲＵ４に配信することも可能である。
【０１５９】
図２１は実施形態６に係るマルチ画面映像再生システム１０の表示指示パケットの配信
タイミングを説明する図である。図２１は３つのフレームに１回の割合で表示指示パケッ
トをブロードキャスト通信により各描画ユニットに配信する例である。
【０１６０】
図２２は実施形態６に係るマルチ画面映像再生システム１０の動作を説明する図である
。図２２の例では映像配信サーバＶＳからあるフレーム（この例では、第２フレーム）に
対する表示指示パケットが配信されたあと、次は、第５フレームに対して表示指示パケッ
トが配信されている。この場合、表示指示パケットの出されたフレーム以外のフレーム（
この例の場合、第３フレームおよび第４フレーム）に対する表示指示タイミングは、各描
画ユニットＲＵ１〜ＲＵ４内部に存在するタイマにより生成することが可能である。
【０１６１】
なお、この図２２では図示されていない第６フレーム以降においても、同様に、表示指
示パケットが所定のフレームごとに各描画ユニットＲＵ１〜ＲＵ４に配信され、それぞれ
の表示指示パケット間のフレームに対する表示指示タイミングは、各描画ユニットＲＵ１
〜ＲＵ４が持っているタイマにより生成する。
このように、各描画ユニットＲＵ１〜ＲＵ４に対する表示指示パケットの配信をある一
部のフレームごとに行うようにすることによって、ＬＡＮ１０１を介してのタイミング情
報の配信回数を減らすことができ、ＬＡＮのトラフィックを軽減することができる。
【０１６２】
なお、以上説明した各実施形態に係るマルチ画面映像再生システム１０においては、一
斉同報通信としては、ブロードキャスト通信による通信ではなくマルチキャスト通信を採
用することもできる。この場合にも、映像配信サーバＶＳは、ＬＡＮ１０１に接続された
各描画ユニットＲＵ１〜ＲＵ４に対して、容易に一斉同報通信を行なうことができる。な
お、マルチキャスト通信を採用する場合は、マルチ画面映像再生システムを構成するすべ
ての描画ユニットに同一のマルチキャストアドレス、たとえば、２２４．０．０．１を持
たせ、映像配信サーバＶＳはこのマルチキャストアドレス宛に同期信号となる表示指示パ
ケットを送信すればよい。
【０１６３】
また、マルチ画面ディスプレイを構成する各表示装置Ｄ１〜Ｄ４は近接した位置に配置
されるのが通常であるため、ネットワークとしては、必ずしもワイドエリアネットワーク
のような大規模なネットワークを用いる必要はない。このため、各実施形態に係るマルチ
画面映像再生システム１０においては、ネットワークとして、ローカルエリアネットワー
ク（ＬＡＮ）を用いている。
これにより、パケット損失や各描画ユニットＲＵ１〜ＲＵ４への表示指示パケットの到
着時間のばらつきを容易に許容量以下にすることができるようになり、時間精度の高い一
斉同報通信を容易に実現することができる。その結果、各表示装置Ｄ１〜Ｄ４間で精度の
高い同期再生ができるようになり、全体としてより滑らかで自然な映像を再生することが
できるようになる。
【０１６４】
また、ＬＡＮ１０１としては、小規模の閉じたものであることが好ましい。パケット損
失や各描画ユニットＲＵ１〜ＲＵ４への表示指示パケットの到着時間のばらつきをさらに
容易に許容量以下にすることができるようになる。
【０１６５】
また、各実施形態に係るマルチ画面映像再生システム１０においては、ＬＡＮ１０１に
用いる通信プロトコルとして、ＴＣＰ／ＩＰを用いている。本発明のマルチ画面映像再生
システムにおいては、通信プロトコルとして種々のプロトコルを用いることができるが、
近年広く普及しているＴＣＰ／ＩＰプロトコルを用いることによって、安価で確実なネッ
トワークを容易に構成することができるようになる。
【０１６６】
また、各描画ユニットＲＵ１〜ＲＵ４のフレームバッファ１２４には、１フレーム分の
映像データをバッファすることとしているが、本発明のマルチ画面映像再生システムはこ
れに限られず、各フレームバッファ１２４に２フレーム分以上の映像データをバッファす
るようにしてもよい。この場合には、１フレーム以上の映像データをいわゆる先読みして
おけるので、効率的なバッファリングを行なうことが可能になる。
【０１６７】
また、各描画ユニットＲＵ１〜ＲＵ４は、映像配信サーバＶＳから送られてくるフレー
ム単位の映像データを展開するフレームバッファを持てばよく、映像データそのものを記
録する大容量の記録媒体（ハードディスクなど）を持つ必要がなくなる。
【０１６８】
また、各描画ユニットＲＵ１〜ＲＵ４は、映像配信サーバＶＳからの表示指示パケット
を受信するまでの間に時間的な余裕があれば、フレームレートに間に合う実時間処理が可
能な範囲での柔軟な画像処理が可能となる。
【０１６９】
以上、前述の各実施形態に基づいて、本発明のマルチ画面映像再生システムおよびマル
チ画面映像再生システムにおける映像同期再生方法について説明したが、本発明は前述の
各実施形態に限られることなく、その要旨を変更しない範囲において種々の態様において
実施することが可能であり、たとえば、次のような変形も可能である。
【０１７０】
（１）前述の各実施形態におけるマルチ画面映像再生システムはネットワークを備えて
構成されているが、本発明はネットワークを備えていないものにも適用可能である。この
場合には、別途ネットワークを準備すれば、前記の各実施形態に記載のマルチ画面映像再
生システムを構成することができ、同様の効果を得ることができる。
【０１７１】
（２）前述の各実施形態では、映像配信サーバＶＳ、タイミングサーバＴＳ、描画ユニ
ットＲＵ１〜ＲＵ４はそれぞれが別体のハードウエアとして構成されているかのような説
明であったが、これらは、一体化されたものであってもよい。また、表示装置（たとえば
プロジェクタ）のみで本発明を実現できるように、映像配信サーバＶＳ、タイミングサー
バＴＳ、描画ユニットＲＵ１〜ＲＵ４をすべて組み込んだ構成とすることも可能であり、
その実施態様は種々考えられる。
【０１７２】
（３）前述の各実施形態におけるマルチ画面映像再生システムにおいては、大画面のマ
ルチ画面ディスプレイで１つの大画面映像を再生する場合を例にとって説明したが、本発
明はこれに限られず、たとえば、マルチ画面ディスプレイにおける表示装置のそれぞれが
、スポーツや演劇などにおいて、異なるカメラで撮影したそれぞれ異なる視点の映像を同
期化して再生するような場合にも適用できる。
（４）前述の各実施形態におけるマルチ画面映像再生システムにおいては、複数の表示
装置Ｄ１〜Ｄ４は、たとえば、タイリングディスプレイのようなマルチ画面ディスプレイ
を構成する場合の配置とした例について説明した。しかし、本発明のマルチ画面映像再生
システムは、たとえば、互いに離れた位置にいる複数のユーザがそれぞれのディスプレイ
を見ながら同じゲームを行うというような場合にも適用できる。したがって、各表示装置
Ｄ１〜Ｄ４は、ばらばらに配置されるような構成であってもよい。
【０１７３】
また、本発明は以上説明した本発明を実現するためのマルチ画面映像再生システムにお
ける映像同期再生手順が記述されたマルチ画面映像再生システムにおける映像再生プログ
ラムを作成し、それをフロッピィディスク、光ディスク、ハードディスクなどの記録媒体
に記録させておくこともできる。したがって、本発明は、そのマルチ画面映像再生システ
ムにおける映像再生プログラムの記録された記録媒体をも含むものである。また、ネット
ワークからそのマルチ画面映像再生システムにおける映像再生プログラムを得るようにし
てもよい。
【図面の簡単な説明】
【０１７４】
【図１】実施形態１に係るマルチ画面映像再生システムの構成を説明する図である。
【図２】図１に示すマルチ画面映像再生システムの映像配信サーバと描画ユニットの構成を説明する図である。
【図３】ダブルバッファリングを説明する図である。
【図４】実施形態１に係るマルチ画面映像再生システムの全体的な処理の流れを図１の構成上において説明する図である。
【図５】実施形態１に係るマルチ画面映像再生システムの映像配信サーバの処理の流れを説明するフローチャートである。
【図６】実施形態１に係るマルチ画面映像再生システムの描画ユニットの処理の流れを説明するフローチャートである。
【図７】実施形態１に係るマルチ画面映像再生システムの動作を説明する図である。
【図８】実施形態２に係るマルチ画面映像再生システムの全体的な処理の流れを図１の構成上において説明するための図である。
【図９】実施形態２に係るマルチ画面映像再生システムの映像配信サーバの処理の流れを説明するフローチャートである。
【図１０】実施形態２に係るマルチ画面映像再生システムの描画ユニットの処理の流れを説明するフローチャートである。
【図１１】実施形態２に係るマルチ画面映像再生システムの動作を説明する図である。
【図１２】実施形態３に係るマルチ画面映像再生システムの構成を説明する図である。
【図１３】図１２に示すマルチ画面映像再生システムの映像配信サーバと描画ユニットの構成を説明する図である。
【図１４】実施形態３に係るマルチ画面映像再生システムの全体的な処理の流れを図１２の構成上において説明する図である。
【図１５】実施形態３に係るマルチ画面映像再生システムの映像配信サーバとタイミングサーバの処理の流れを説明するフローチャートである。
【図１６】実施形態３に係るマルチ画面映像再生システムの動作を説明する図である。
【図１７】実施形態４に係るマルチ画面映像再生システムの構成を説明する図である。
【図１８】図１７に示したマルチ画面映像再生システムおける描画ユニットの構成を説明するものである。
【図１９】実施形態５に係るマルチ画面映像再生システムの構成を説明する図である。
【図２０】図１９で示したマルチ画面映像再生システムの映像配信サーバと表示装置の構成を説明する図である。
【図２１】実施形態６に係るマルチ画面映像再生システムの表示指示パケットの配信タイミングを説明する図である。
【図２２】実施形態６に係るマルチ画面映像再生システムの動作を説明する図である。
【図２３】マルチ画面ディスプレイを説明するための図である。
【図２４】マルチ画面ディスプレイにおける同期再生手段の必要性を説明するための図である。
【図２５】従来の同期再生手段を説明するための図である。
【図２６】従来の他の同期再生手段を説明するための図である。
【符号の説明】
【０１７５】
１０  マルチ画面映像再生システム、１０１  ローカルエリアネットワーク、１１１  
タイミング情報生成部、１１２  映像パケット生成部、１１３  送信部、１２１  受信部
、１２２  映像デ−タ取得部、１２３  出力制御部、１２４  フレームバッファ、１２５
出力部、２００  映像データ供給手段、Ｄ１〜Ｄ４  表示装置、ＲＵ１〜ＲＵ４  描画
ユニット、ＴＳ  タイミングサーバ、ＶＳ  映像配信サーバ、ＳＣＲ  スクリーン、Ｒ  
描画部、Ｄａ１〜Ｄａ４  表示部
【図２】
2005244931.tif 000003
【図６】
2005244931.tif 000004
【図１０】
2005244931.tif 000005
【図１３】
2005244931.tif 000006
【図１８】
2005244931.tif 000007
【図２０】
2005244931.tif 000008
【図２５】
2005244931.tif 000009
【図２６】
2005244931.tif 000010
【図１】
2005244931.tif 000011
【図３】
2005244931.tif 000012
【図４】
2005244931.tif 000013
【図５】
2005244931.tif 000014
【図７】
2005244931.tif 000015
【図８】
2005244931.tif 000016
【図９】
2005244931.tif 000017
【図１１】
2005244931.tif 000018
【図１２】
2005244931.tif 000019
【図１４】
2005244931.tif 000020
【図１５】
2005244931.tif 000021
【図１６】
2005244931.tif 000022
【図１７】
2005244931.tif 000023
【図１９】
2005244931.tif 000024
【図２１】
2005244931.tif 000025
【図２２】
2005244931.tif 000026
【図２３】
2005244931.tif 000027
【図２４】
2005244931.tif 000028